(57)【要約】【課題】  映像信号の１／２のフレームレートで、表示デバイスを駆動する。【解決手段】  コントローラは、フレームメモリを制御して、入力映像信号Ｓ１のフレームレートｍに対して、ｍ／２のフレームレートで、αフレームを、出力映像信号Ｓ２として出力させ、α＋１フレームを、出力映像信号Ｓ３として、αフレームの供給開始時刻ａよりも、１／ｍだけ遅らせた供給開始時刻ｂで出力させる。以下、同様にして、α＋２フレームが、αフレームの供給から連続させて出力映像信号Ｓ２として出力され、α＋３フレームが、α＋２フレームの供給開始時刻ｃよりも更に１／ｍだけ遅らせられて、出力映像信号Ｓ３として出力される。出力映像信号Ｓ３およびＳ２は、１／２フレームずらして走査されるので、表示される動画像は、実質的に、フレームレートｍとなる。本発明は、画像信号変換装置、画像表示システムに適用できる。【選択図】図２
2004266808.tif 000002
【特許請求の範囲】
【請求項１】
画像表示装置により表示される画像信号を処理する画像処理装置において、
第１のフレームレートの前記画像信号の供給を受けて保存する保存手段と、
複数の前記画像表示装置、または、前記画像表示装置に複数設けられている前記画像信号の表示処理部への、前記保存手段により保存された前記画像信号の出力を制御する出力制御手段と、
前記出力制御手段により出力が制御された前記画像信号に対応する画像の表示を制御する表示制御手段と
を備え、
前記画像表示装置、または、前記画像表示装置の前記表示処理部が、少なくともｎ個設けられている場合、
前記出力制御手段は、前記第１のフレームレートの１／ｎのフレームレートである第２のフレームレートで、ｎ個の前記画像表示装置、または、前記表示処理部に、１フレームごとに、前記保存手段から順次出力されるように、前記画像信号の出力を制御し、
前記表示制御手段は、前記出力制御手段によりｎ個の前記画像表示装置、または、前記表示処理部に順次出力された前記画像信号が、前記第２のフレームレートによる１フレームの走査時間の１／ｎずつずれて、点順次または線順次方式によって、順次描画されるように、前記画像信号に対応する前記画像の表示を制御する
ことを特徴とする画像処理装置。
【請求項２】
前記第１のフレームレートの前記画像信号の同期信号を検出する検出手段を更に備え、
前記出力制御手段は、前記検出手段により検出された前記同期信号を基に、前記画像信号の出力を制御する
ことを特徴とする請求項１に記載の画像処理装置。
【請求項３】
前記第１のフレームレートの前記画像信号をデジタル信号に変換するデジタル信号変換手段と、
前記出力制御手段により出力が制御された前記第２のフレームレートの前記画像信号をアナログ信号にそれぞれ変換する複数のアナログ信号変換手段と
を更に備えることを特徴とする請求項１に記載の画像処理装置。
【請求項４】
前記第１のフレームレートは２４０Ｈｚであり、
前記第２のフレームレートは６０Ｈｚであり、
前記画像表示装置、または、前記画像表示装置の前記表示処理部は、少なくとも４個設けられ、
前記出力制御手段は、２４０Ｈｚの１／４のフレームレートである６０Ｈｚで、４個の前記画像表示装置、または、前記表示処理部に、１フレームごとに、前記保存手段から順次出力されるように、前記画像信号の出力を制御する
ことを特徴とする請求項１に記載の画像処理装置。
【請求項５】
前記第１のフレームレートは２５０Ｈｚであり、
前記第２のフレームレートは５０Ｈｚであり、
前記画像表示装置、または、前記画像表示装置の前記表示処理部は、少なくとも５個設けられ、
前記出力制御手段は、２５０Ｈｚの１／５のフレームレートである５０Ｈｚで、５個の前記画像表示装置、または、前記表示処理部に、１フレームごとに、前記保存手段から順次出力されるように、前記画像信号の出力を制御する
ことを特徴とする請求項１に記載の画像処理装置。
【請求項６】
前記第１のフレームレートは１８０Ｈｚであり、
前記第２のフレームレートは６０Ｈｚであり、
前記画像表示装置、または、前記画像表示装置の前記表示処理部は、少なくとも３個設けられ、
前記出力制御手段は、１８０Ｈｚの１／３のフレームレートである６０Ｈｚで、３個の前記画像表示装置、または、前記表示処理部に、１フレームごとに、前記保存手段から順次出力されるように、前記画像信号の出力を制御する
ことを特徴とする請求項１に記載の画像処理装置。
【請求項７】
前記第１のフレームレートは１５０Ｈｚであり、
前記第２のフレームレートは５０Ｈｚであり、
前記画像表示装置、または、前記画像表示装置の前記表示処理部は、少なくとも３個設けられ、
前記出力制御手段は、１５０Ｈｚの１／３のフレームレートである５０Ｈｚで、３個の前記画像表示装置、または、前記表示処理部に、１フレームごとに、前記保存手段から順次出力されるように、前記画像信号の出力を制御する
ことを特徴とする請求項１に記載の画像処理装置。
【請求項８】
保存部を有し、画像表示装置により表示される画像信号を処理する画像処理装置の画像処理方法において、
第１のフレームレートの前記画像信号の、前記保存部への保存を制御する保存制御ステップと、
複数の前記画像表示装置、または、前記画像表示装置に複数設けられている前記画像信号の表示処理部への、前記保存制御ステップの処理により前記保存部への保存が制御された前記画像信号の出力を制御する出力制御ステップと、
前記出力制御ステップの処理により出力が制御された前記画像信号に対応する画像の表示を制御する表示制御ステップと
を含み、
前記画像表示装置、または、前記画像表示装置の前記表示処理部が、少なくともｎ個設けられている場合、
前記出力制御ステップの処理では、前記第１のフレームレートの１／ｎのフレームレートである第２のフレームレートで、ｎ個の前記画像表示装置、または、前記表示処理部に、１フレームごとに、前記保存部から順次出力されるように、前記画像信号の出力を制御し、
前記表示制御ステップの処理では、前記出力制御ステップの処理によりｎ個の前記画像表示装置、または、前記表示処理部に順次出力された前記画像信号が、前記第２のフレームレートによる１フレームの走査時間の１／ｎずつずれて、点順次または線順次方式によって、順次描画されるように、前記画像信号に対応する前記画像の表示を制御する
ことを特徴とする画像処理方法。
【請求項９】
保存部を用いて、画像表示装置により表示される画像信号の処理をコンピュータに実行させるプログラムであって、
第１のフレームレートの前記画像信号の、前記保存部への保存を制御する保存制御ステップと、
複数の前記画像表示装置、または、前記画像表示装置に複数設けられている前記画像信号の表示処理部への、前記保存制御ステップの処理により前記保存部への保存が制御された前記画像信号の出力を制御する出力制御ステップと、
前記出力制御ステップの処理により出力が制御された前記画像信号に対応する画像の表示を制御する表示制御ステップと
を含み、
前記画像表示装置、または、前記画像表示装置の前記表示処理部が、少なくともｎ個設けられている場合、
前記出力制御ステップの処理では、前記第１のフレームレートの１／ｎのフレームレートである第２のフレームレートで、ｎ個の前記画像表示装置、または、前記表示処理部に、１フレームごとに、前記保存部から順次出力されるように、前記画像信号の出力を制御し、
前記表示制御ステップの処理では、前記出力制御ステップの処理によりｎ個の前記画像表示装置、または、前記表示処理部に順次出力された前記画像信号が、前記第２のフレームレートによる１フレームの走査時間の１／ｎずつずれて、点順次または線順次方式によって、順次描画されるように、前記画像信号に対応する前記画像の表示を制御する
ことを特徴とするコンピュータが読み取り可能なプログラムが記録されている
記録媒体。
【請求項１０】
保存部を用いて、画像表示装置により表示される画像信号の処理をコンピュータに実行させるプログラムであって、
第１のフレームレートの前記画像信号の、前記保存部への保存を制御する保存制御ステップと、
複数の前記画像表示装置、または、前記画像表示装置に複数設けられている前記画像信号の表示処理部への、前記保存制御ステップの処理により前記保存部への保存が制御された前記画像信号の出力を制御する出力制御ステップと、
前記出力制御ステップの処理により出力が制御された前記画像信号に対応する画像の表示を制御する表示制御ステップと
を含み、
前記画像表示装置、または、前記画像表示装置の前記表示処理部が、少なくともｎ個設けられている場合、
前記出力制御ステップの処理では、前記第１のフレームレートの１／ｎのフレームレートである第２のフレームレートで、ｎ個の前記画像表示装置、または、前記表示処理部に、１フレームごとに、前記保存部から順次出力されるように、前記画像信号の出力を制御し、
前記表示制御ステップの処理では、前記出力制御ステップの処理によりｎ個の前記画像表示装置、または、前記表示処理部に順次出力された前記画像信号が、前記第２のフレームレートによる１フレームの走査時間の１／ｎずつずれて、点順次または線順次方式によって、順次描画されるように、前記画像信号に対応する前記画像の表示を制御する
ことを特徴とするプログラム。
【請求項１１】
画像信号を処理する画像処理装置と、
前記画像処理装置において処理された前記画像信号を表示する画像表示装置と
で構成される画像表示システムにおいて、
前記画像処理装置は、
第１のフレームレートの前記画像信号の供給を受けて保存する保存手段と、
前記画像表示装置への、前記保存手段により保存された前記画像信号の出力を制御する出力制御手段と、
前記画像表示装置による、前記出力制御手段により出力が制御された前記画像信号に対応する画像の表示を制御する表示制御手段と
を備え、
前記画像表示装置は、
点順次または線順次方式によって画像の描画を行う複数の画像表示処理手段と、
前記画像表示処理手段により描画される画像を表示する表示手段と
を備え、
前記画像表示処理手段は、少なくとも、ｎ個備えられ、
前記出力制御手段は、前記第１のフレームレートの１／ｎのフレームレートである第２のフレームレートで、ｎ個の前記画像表示処理手段に、１フレームごとに、前記保存手段から順次出力されるように、前記画像信号の出力を制御し、
前記表示制御手段は、前記出力制御手段によりｎ個の前記画像表示処理手段に順次出力された前記画像信号が、前記第２のフレームレートによる１フレームの走査時間の１／ｎずつずれて、点順次または線順次方式によって、前記表示手段に順次描画されるように、前記画像の表示を制御する
ことを特徴とする画像表示システム。
【請求項１２】
複数の前記画像表示処理手段は、前記表示手段により表示される、前記画像処理装置から供給された前記画像信号の、対応する位置のｎ個の画素の画素位置のずれが、１画素の画素幅以内となるように描画を行う
ことを特徴とする請求項１１に記載の画像表示システム。
【請求項１３】
前記第１のフレームレートは２４０Ｈｚであり、
前記第２のフレームレートは６０Ｈｚであり、
前記画像表示処理手段は、少なくとも、４個備えられ、
前記出力制御手段は、２４０Ｈｚの１／４のフレームレートである６０Ｈｚで、４個の前記画像表示処理手段に、１フレームごとに、前記保存手段から順次出力されるように、前記画像信号の出力を制御する
ことを特徴とする請求項１１に記載の画像表示システム。
【請求項１４】
前記第１のフレームレートは２５０Ｈｚであり、
前記第２のフレームレートは５０Ｈｚであり、
前記画像表示処理手段は、少なくとも、５個備えられ、
前記出力制御手段は、２５０Ｈｚの１／５のフレームレートである５０Ｈｚで、５個の前記画像表示処理手段に、１フレームごとに、前記保存手段から順次出力されるように、前記画像信号の出力を制御する
ことを特徴とする請求項１１に記載の画像表示システム。
【請求項１５】
前記第１のフレームレートは１８０Ｈｚであり、
前記第２のフレームレートは６０Ｈｚであり、
前記画像表示処理手段は、少なくとも、３個備えられ、
前記出力制御手段は、１８０Ｈｚの１／３のフレームレートである６０Ｈｚで、３個の前記画像表示処理手段に、１フレームごとに、前記保存手段から順次出力されるように、前記画像信号の出力を制御する
ことを特徴とする請求項１１に記載の画像表示システム。
【請求項１６】
前記第１のフレームレートは１５０Ｈｚであり、
前記第２のフレームレートは５０Ｈｚであり、
前記画像表示処理手段は、少なくとも、３個備えられ、
前記出力制御手段は、１５０Ｈｚの１／３のフレームレートである５０Ｈｚで、３個の前記画像表示処理手段に、１フレームごとに、前記保存手段から順次出力されるように、前記画像信号の出力を制御する
ことを特徴とする請求項１１に記載の画像表示システム。
【請求項１７】
画像信号を処理する画像処理装置と、
前記画像処理装置において処理された前記画像信号を表示する複数の画像表示装置と
で構成される画像表示システムにおいて、
前記画像処理装置は、
第１のフレームレートの前記画像信号の供給を受けて保存する保存手段と、
前記画像表示装置への、前記保存手段により保存された前記画像信号の出力を制御する出力制御手段と、
前記出力制御手段により出力が制御された前記画像信号に対応する画像の表示を制御する表示制御手段と
を備え、
前記画像表示装置は、
点順次または線順次方式によって画像の描画を行う画像表示処理手段を備え、
前記画像表示装置は、少なくとも、ｎ個備えられ、
前記出力制御手段は、前記第１のフレームレートの１／ｎのフレームレートである第２のフレームレートで、ｎ個の前記画像表示装置に、１フレームごとに、前記保存手段から順次出力されるように、前記画像信号の出力を制御し、
前記表示制御手段は、前記出力制御手段によりｎ個の前記画像表示装置に順次出力された前記画像信号が、前記第２のフレームレートによる１フレームの走査時間の１／ｎずつずれて、点順次または線順次方式によって、順次描画されるように、前記画像の表示を制御する
ことを特徴とする画像表示システム。
【請求項１８】
前記画像表示装置は、前記画像を投影表示するプロジェクタにより構成される
ことを特徴とする請求項１７に記載の画像表示システム。
【請求項１９】
複数の前記画像表示装置は、前記画像処理装置から供給された前記画像信号の、対応する位置のｎ個の画素の画素位置のずれが、１画素の画素幅以内となるように描画を行う
ことを特徴とする請求項１７に記載の画像表示システム。
【請求項２０】
前記第１のフレームレートは２４０Ｈｚであり、
前記第２のフレームレートは６０Ｈｚであり、
前記画像表示装置は、少なくとも、４個備えられ、
前記出力制御手段は、２４０Ｈｚの１／４のフレームレートである６０Ｈｚで、４個の前記画像表示装置に、１フレームごとに、前記保存手段から順次出力されるように、前記画像信号の出力を制御する
ことを特徴とする請求項１７に記載の画像表示システム。
【請求項２１】
前記第１のフレームレートは２５０Ｈｚであり、
前記第２のフレームレートは５０Ｈｚであり、
前記画像表示装置は、少なくとも、５個備えられ、
前記出力制御手段は、２５０Ｈｚの１／５のフレームレートである５０Ｈｚで、５個の前記画像表示装置に、１フレームごとに、前記保存手段から順次出力されるように、前記画像信号の出力を制御する
ことを特徴とする請求項１７に記載の画像表示システム。
【請求項２２】
前記第１のフレームレートは１８０Ｈｚであり、
前記第２のフレームレートは６０Ｈｚであり、
前記画像表示装置は、少なくとも、３個備えられ、
前記出力制御手段は、１８０Ｈｚの１／３のフレームレートである６０Ｈｚで、３個の前記画像表示装置に、１フレームごとに、前記保存手段から順次出力されるように、前記画像信号の出力を制御する
ことを特徴とする請求項１７に記載の画像表示システム。
【請求項２３】
前記第１のフレームレートは１５０Ｈｚであり、
前記第２のフレームレートは５０Ｈｚであり、
前記画像表示装置は、少なくとも、３個備えられ、
前記出力制御手段は、１５０Ｈｚの１／３のフレームレートである５０Ｈｚで、３個の前記画像表示装置に、１フレームごとに、前記保存手段から順次出力されるように、前記画像信号の出力を制御する
ことを特徴とする請求項１７に記載の画像表示システム。
【請求項２４】
画像表示装置により表示される画像信号を処理する画像処理装置において、
第１のフレームレートの前記画像信号の供給を受けて、複数の画像信号系列に、フレームごとに分離する分離手段と、
前記分離手段により分離された前記画像信号系列をそれぞれ保存する複数の保存手段と、
複数の前記画像表示装置、または、前記画像表示装置に複数設けられている前記画像信号の表示処理部への、複数の前記保存手段により保存された前記画像信号系列のそれぞれの出力を制御する出力制御手段と、
前記出力制御手段により出力が制御された複数の前記画像信号系列の全てで構成される前記画像信号に対応する画像の表示を制御する表示制御手段と
を備え、
前記画像表示装置、または、前記表示処理部が、少なくともｎ個設けられている場合、
前記分離手段は、前記画像信号をｎ系列の前記画像信号系列に分離し、
前記保存手段は、ｎ個備えられ、
前記出力制御手段は、ｎ個の前記保存手段によりそれぞれ保存された前記画像信号系列が、前記第１のフレームレートの１／ｎのフレームレートである第２のフレームレートで、ｎ個の前記画像表示装置、または、前記表示処理部に、１フレームごとに、順次出力されるように、前記画像信号系列の出力を制御し、
前記表示制御手段は、前記出力制御手段によりｎ個の前記画像表示装置、または、前記表示処理部に順次出力された、前記第２のフレームレートの前記画像信号系列が、前記第２のフレームレートによる１フレームの走査時間の１／ｎずつずれて、点順次または線順次方式によって、順次描画されるように、前記画像信号系列の全てで構成される前記画像信号に対応する前記画像の表示を制御する
ことを特徴とする画像処理装置。
【請求項２５】
前記第１のフレームレートの前記画像信号の同期信号を検出する検出手段を更に備え、
前記出力制御手段は、前記検出手段により検出された前記同期信号を基に、前記画像信号の出力を制御する
ことを特徴とする請求項２４に記載の画像処理装置。
【請求項２６】
前記第１のフレームレートの前記画像信号をデジタル信号に変換するデジタル信号変換手段と、
前記出力制御手段により出力が制御された前記第２のフレームレートの前記画像信号系列を、アナログ信号にそれぞれ変換する複数のアナログ信号変換手段と
を更に備えることを特徴とする請求項２４に記載の画像処理装置。
【請求項２７】
前記第１のフレームレートは２４０Ｈｚであり、
前記第２のフレームレートは６０Ｈｚであり、
前記画像表示装置、または、前記表示処理部は、少なくとも４個設けられ、
前記分離手段は、前記画像信号を４系列の前記画像信号系列に分離し、
前記保存手段は、４個備えられ、
前記出力制御手段は、４個の前記保存手段によりそれぞれ保存された前記画像信号系列が、６０Ｈｚで、４個の前記画像表示装置、または、前記表示処理部に、１フレームごとに、順次出力されるように、前記画像信号系列の出力を制御する
ことを特徴とする請求項２４に記載の画像処理装置。
【請求項２８】
前記第１のフレームレートは２５０Ｈｚであり、
前記第２のフレームレートは５０Ｈｚであり、
前記画像表示装置、または、前記表示処理部は、少なくとも５個設けられ、
前記分離手段は、前記画像信号を５系列の前記画像信号系列に分離し、
前記保存手段は、５個備えられ、
前記出力制御手段は、５個の前記保存手段によりそれぞれ保存された前記画像信号系列が、５０Ｈｚで、５個の前記画像表示装置、または、前記表示処理部に、１フレームごとに、順次出力されるように、前記画像信号系列の出力を制御する
ことを特徴とする請求項２４に記載の画像処理装置。
【請求項２９】
前記第１のフレームレートは１８０Ｈｚであり、
前記第２のフレームレートは６０Ｈｚであり、
前記画像表示装置、または、前記表示処理部は、少なくとも３個設けられ、
前記分離手段は、前記画像信号を３系列の前記画像信号系列に分離し、
前記保存手段は、３個備えられ、
前記出力制御手段は、３個の前記保存手段によりそれぞれ保存された前記画像信号系列が、６０Ｈｚで、３個の前記画像表示装置、または、前記表示処理部に、１フレームごとに、順次出力されるように、前記画像信号系列の出力を制御する
ことを特徴とする請求項２４に記載の画像処理装置。
【請求項３０】
前記第１のフレームレートは１５０Ｈｚであり、
前記第２のフレームレートは５０Ｈｚであり、
前記画像表示装置、または、前記表示処理部は、少なくとも３個設けられ、
前記分離手段は、前記画像信号を３系列の前記画像信号系列に分離し、
前記保存手段は、３個備えられ、
前記出力制御手段は、３個の前記保存手段によりそれぞれ保存された前記画像信号系列が、５０Ｈｚで、３個の前記画像表示装置、または、前記表示処理部に、１フレームごとに、順次出力されるように、前記画像信号系列の出力を制御する
ことを特徴とする請求項２４に記載の画像処理装置。
【請求項３１】
複数の保存部を有し、画像表示装置により表示される画像信号を処理する画像処理装置の画像処理方法において、
第１のフレームレートの前記画像信号の供給を受けて、複数の画像信号系列に、フレームごとに分離する分離ステップと、
前記分離ステップの処理により分離された前記画像信号系列の、複数の前記保存部への保存を制御する保存制御ステップと、
複数の前記画像表示装置、または、前記画像表示装置に複数設けられている前記画像信号の表示処理部への、複数の前記保存制御ステップの処理により複数の前記保存部への保存が制御された前記画像信号系列のそれぞれの出力を制御する出力制御ステップと、
前記出力制御ステップの処理により出力が制御された複数の前記画像信号系列の全てで構成される前記画像信号に対応する画像の表示を制御する表示制御ステップと
を含み、
前記画像表示装置、または、前記表示処理部が、少なくともｎ個設けられている場合、
前記分離ステップの処理では、前記画像信号をｎ系列の前記画像信号系列に分離し、
前記保存部は、ｎ個備えられ、
前記出力制御ステップの処理では、前記保存制御ステップの処理によりｎ個の前記保存部への保存が制御された前記画像信号系列が、前記第１のフレームレートの１／ｎのフレームレートである第２のフレームレートで、ｎ個の前記画像表示装置、または、前記表示処理部に、１フレームごとに、順次出力されるように、前記画像信号系列の出力を制御し、
前記表示制御ステップの処理では、前記出力制御ステップの処理によりｎ個の前記画像表示装置、または、前記表示処理部に順次出力された、前記第２のフレームレートの前記画像信号系列が、前記第２のフレームレートによる１フレームの走査時間の１／ｎずつずれて、点順次または線順次方式によって、順次描画されるように、前記画像信号系列の全てで構成される前記画像信号に対応する前記画像の表示を制御する
ことを特徴とする画像処理方法。
【請求項３２】
複数の保存部を用いて、画像表示装置により表示される画像信号の処理をコンピュータに実行させるプログラムであって、
第１のフレームレートの前記画像信号の供給を受けて、複数の画像信号系列に、フレームごとに分離する分離ステップと、
前記分離ステップの処理により分離された前記画像信号系列の、複数の前記保存部への保存を制御する保存制御ステップと、
複数の前記画像表示装置、または、前記画像表示装置に複数設けられている前記画像信号の表示処理部への、複数の前記保存制御ステップの処理により複数の前記保存部への保存が制御された前記画像信号系列のそれぞれの出力を制御する出力制御ステップと、
前記出力制御ステップの処理により出力が制御された複数の前記画像信号系列の全てで構成される前記画像信号に対応する画像の表示を制御する表示制御ステップと
を含み、
前記画像表示装置、または、前記表示処理部が、少なくともｎ個設けられている場合、
前記分離ステップの処理では、前記画像信号をｎ系列の前記画像信号系列に分離し、
前記保存部は、ｎ個備えられ、
前記出力制御ステップの処理では、前記保存制御ステップの処理によりｎ個の前記保存部への保存が制御された前記画像信号系列が、前記第１のフレームレートの１／ｎのフレームレートである第２のフレームレートで、ｎ個の前記画像表示装置、または、前記表示処理部に、１フレームごとに、順次出力されるように、前記画像信号系列の出力を制御し、
前記表示制御ステップの処理では、前記出力制御ステップの処理によりｎ個の前記画像表示装置、または、前記表示処理部に順次出力された、前記第２のフレームレートの前記画像信号系列が、前記第２のフレームレートによる１フレームの走査時間の１／ｎずつずれて、点順次または線順次方式によって、順次描画されるように、前記画像信号系列の全てで構成される前記画像信号に対応する前記画像の表示を制御する
ことを特徴とするコンピュータが読み取り可能なプログラムが記録されている
記録媒体。
【請求項３３】
複数の保存部を用いて、画像表示装置により表示される画像信号の処理をコンピュータに実行させるプログラムであって、
第１のフレームレートの前記画像信号の供給を受けて、複数の画像信号系列に、フレームごとに分離する分離ステップと、
前記分離ステップの処理により分離された前記画像信号系列の、複数の前記保存部への保存を制御する保存制御ステップと、
複数の前記画像表示装置、または、前記画像表示装置に複数設けられている前記画像信号の表示処理部への、複数の前記保存制御ステップの処理により複数の前記保存部への保存が制御された前記画像信号系列のそれぞれの出力を制御する出力制御ステップと、
前記出力制御ステップの処理により出力が制御された複数の前記画像信号系列の全てで構成される前記画像信号に対応する画像の表示を制御する表示制御ステップと
を含み、
前記画像表示装置、または、前記表示処理部が、少なくともｎ個設けられている場合、
前記分離ステップの処理では、前記画像信号をｎ系列の前記画像信号系列に分離し、
前記保存部は、ｎ個備えられ、
前記出力制御ステップの処理では、前記保存制御ステップの処理によりｎ個の前記保存部への保存が制御された前記画像信号系列が、前記第１のフレームレートの１／ｎのフレームレートである第２のフレームレートで、ｎ個の前記画像表示装置、または、前記表示処理部に、１フレームごとに、順次出力されるように、前記画像信号系列の出力を制御し、
前記表示制御ステップの処理では、前記出力制御ステップの処理によりｎ個の前記画像表示装置、または、前記表示処理部に順次出力された、前記第２のフレームレートの前記画像信号系列が、前記第２のフレームレートによる１フレームの走査時間の１／ｎずつずれて、点順次または線順次方式によって、順次描画されるように、前記画像信号系列の全てで構成される前記画像信号に対応する前記画像の表示を制御する
ことを特徴とするプログラム。
【請求項３４】
画像信号を処理する画像処理装置と、
前記画像処理装置において処理された前記画像信号を表示する画像表示装置と
で構成される画像表示システムにおいて、
前記画像処理装置は、
第１のフレームレートの前記画像信号の供給を受けて、複数の画像信号系列に、フレームごとに分離する分離手段と、
前記分離手段により分離された前記画像信号系列をそれぞれ保存する複数の保存手段と、
前記画像表示装置への、複数の前記保存手段により保存された前記画像信号系列のそれぞれの出力を制御する出力制御手段と、
前記出力制御手段により出力が制御された複数の前記画像信号系列の全てで構成される前記画像信号に対応する画像の表示を制御する表示制御手段と
を備え、
前記画像表示装置は、
点順次または線順次方式によって画像の描画を行う複数の画像表示処理手段と、
前記画像表示処理手段により描画される画像を表示する表示手段と
を備え、
前記画像表示処理手段は、少なくとも、ｎ個備えられ、
前記分離手段は、前記画像信号をｎ系列の前記画像信号系列に分離し、
前記保存手段は、ｎ個備えられ、
前記出力制御手段は、ｎ個の前記保存手段によりそれぞれ保存された前記画像信号系列が、前記第１のフレームレートの１／ｎのフレームレートである第２のフレームレートで、ｎ個の前記画像表示処理手段に、１フレームごとに、順次出力されるように、前記画像信号系列の出力を制御し、
前記表示制御手段は、前記出力制御手段によりｎ個の前記画像表示処理手段に順次出力された、前記第２のフレームレートの前記画像信号系列が、前記第２のフレームレートによる１フレームの走査時間の１／ｎずつずれて、点順次または線順次方式によって、前記表示手段に順次描画されるように、前記画像信号系列の全てで構成される前記画像信号に対応する画像の表示を制御する
ことを特徴とする画像表示システム。
【請求項３５】
複数の前記画像表示処理手段は、前記表示手段により表示される、前記画像処理装置から供給された前記画像信号の、対応する位置のｎ個の画素の画素位置のずれが、１画素の画素幅以内となるように描画を行う
ことを特徴とする請求項３４に記載の画像表示システム。
【請求項３６】
前記第１のフレームレートは２４０Ｈｚであり、
前記第２のフレームレートは６０Ｈｚであり、
前記画像表示処理手段は、少なくとも、４個備えられ、
前記分離手段は、前記画像信号を４系列の前記画像信号系列に分離し、
前記保存手段は、４個備えられ、
前記出力制御手段は、４個の前記保存手段によりそれぞれ保存された前記画像信号系列が、６０Ｈｚで、４個の前記画像表示処理手段に、１フレームごとに、順次出力されるように、前記画像信号系列の出力を制御する
ことを特徴とする請求項３４に記載の画像表示システム。
【請求項３７】
前記第１のフレームレートは２５０Ｈｚであり、
前記第２のフレームレートは５０Ｈｚであり、
前記画像表示処理手段は、少なくとも、５個備えられ、
前記分離手段は、前記画像信号を５系列の前記画像信号系列に分離し、
前記保存手段は、５個備えられ、
前記出力制御手段は、５個の前記保存手段によりそれぞれ保存された前記画像信号系列が、５０Ｈｚで、５個の前記画像表示処理手段に、１フレームごとに、順次出力されるように、前記画像信号系列の出力を制御する
ことを特徴とする請求項３４に記載の画像表示システム。
【請求項３８】
前記第１のフレームレートは１８０Ｈｚであり、
前記第２のフレームレートは６０Ｈｚであり、
前記画像表示処理手段は、少なくとも、３個備えられ、
前記分離手段は、前記画像信号を３系列の前記画像信号系列に分離し、
前記保存手段は、３個備えられ、
前記出力制御手段は、３個の前記保存手段によりそれぞれ保存された前記画像信号系列が、６０Ｈｚで、３個の前記画像表示処理手段に、１フレームごとに、順次出力されるように、前記画像信号系列の出力を制御する
ことを特徴とする請求項３４に記載の画像表示システム。
【請求項３９】
前記第１のフレームレートは１５０Ｈｚであり、
前記第２のフレームレートは５０Ｈｚであり、
前記画像表示処理手段は、少なくとも、３個備えられ、
前記分離手段は、前記画像信号を３系列の前記画像信号系列に分離し、
前記保存手段は、３個備えられ、
前記出力制御手段は、３個の前記保存手段によりそれぞれ保存された前記画像信号系列が、５０Ｈｚで、３個の前記画像表示処理手段に、１フレームごとに、順次出力されるように、前記画像信号系列の出力を制御する
ことを特徴とする請求項３４に記載の画像表示システム。
【請求項４０】
画像信号を処理する画像処理装置と、
前記画像処理装置において処理された前記画像信号を表示する複数の画像表示装置と
で構成される画像表示システムにおいて、
前記画像処理装置は、
第１のフレームレートの前記画像信号の供給を受けて、複数の画像信号系列に、フレームごとに分離する分離手段と、
前記分離手段により分離された前記画像信号系列をそれぞれ保存する複数の保存手段と、
前記画像表示装置への、複数の前記保存手段により保存された前記画像信号系列のそれぞれの出力を制御する出力制御手段と、
前記出力制御手段により出力が制御された複数の前記画像信号系列の全てで構成される前記画像信号に対応する画像の表示を制御する表示制御手段と
を備え、
前記画像表示装置は、
点順次または線順次方式によって画像の描画を行う画像表示処理手段を備え、
前記画像表示装置は、少なくとも、ｎ個備えられ、
前記分離手段は、前記画像信号をｎ系列の前記画像信号系列に分離し、
前記保存手段は、ｎ個備えられ、
前記出力制御手段は、ｎ個の前記保存手段によりそれぞれ保存された前記画像信号系列が、前記第１のフレームレートの１／ｎのフレームレートである第２のフレームレートで、ｎ個の前記画像表示装置に、１フレームごとに、順次出力されるように、前記画像信号系列の出力を制御し、
前記表示制御手段は、前記出力制御手段によりｎ個の前記画像表示装置に順次出力された、前記第２のフレームレートの前記画像信号系列が、前記第２のフレームレートによる１フレームの走査時間の１／ｎずつずれて、点順次または線順次方式によって、順次描画されるように、前記画像信号系列の全てで構成される前記画像信号に対応する画像の表示を制御する
ことを特徴とする画像表示システム。
【請求項４１】
前記画像表示装置は、前記画像を投影表示するプロジェクタにより構成される
ことを特徴とする請求項４０に記載の画像表示システム。
【請求項４２】
複数の前記画像表示装置は、前記画像処理装置から供給された前記画像信号の、対応する位置のｎ個の画素の画素位置のずれが、１画素の画素幅以内となるように描画を行う
ことを特徴とする請求項４０に記載の画像表示システム。
【請求項４３】
前記第１のフレームレートは２４０Ｈｚであり、
前記第２のフレームレートは６０Ｈｚであり、
前記画像表示装置は、少なくとも、４個備えられ、
前記分離手段は、前記画像信号を４系列の前記画像信号系列に分離し、
前記保存手段は、４個備えられ、
前記出力制御手段は、４個の前記保存手段によりそれぞれ保存された前記画像信号系列が、６０Ｈｚで、４個の前記画像表示装置に、１フレームごとに、順次出力されるように、前記画像信号系列の出力を制御する
ことを特徴とする請求項４０に記載の画像表示システム。
【請求項４４】
前記第１のフレームレートは２５０Ｈｚであり、
前記第２のフレームレートは５０Ｈｚであり、
前記画像表示装置は、少なくとも、５個備えられ、
前記分離手段は、前記画像信号を５系列の前記画像信号系列に分離し、
前記保存手段は、５個備えられ、
前記出力制御手段は、５個の前記保存手段によりそれぞれ保存された前記画像信号系列が、５０Ｈｚで、５個の前記画像表示装置に、１フレームごとに、順次出力されるように、前記画像信号系列の出力を制御する
ことを特徴とする請求項４０に記載の画像表示システム。
【請求項４５】
前記第１のフレームレートは１８０Ｈｚであり、
前記第２のフレームレートは６０Ｈｚであり、
前記画像表示装置は、少なくとも、３個備えられ、
前記分離手段は、前記画像信号を３系列の前記画像信号系列に分離し、
前記保存手段は、３個備えられ、
前記出力制御手段は、３個の前記保存手段によりそれぞれ保存された前記画像信号系列が、６０Ｈｚで、３個の前記画像表示装置に、１フレームごとに、順次出力されるように、前記画像信号系列の出力を制御する
ことを特徴とする請求項４０に記載の画像表示システム。
【請求項４６】
前記第１のフレームレートは１５０Ｈｚであり、
前記第２のフレームレートは５０Ｈｚであり、
前記画像表示装置は、少なくとも、３個備えられ、
前記分離手段は、前記画像信号を３系列の前記画像信号系列に分離し、
前記保存手段は、３個備えられ、
前記出力制御手段は、３個の前記保存手段によりそれぞれ保存された前記画像信号系列が、５０Ｈｚで、３個の前記画像表示装置に、１フレームごとに、順次出力されるように、前記画像信号系列の出力を制御する
ことを特徴とする請求項４０に記載の画像表示システム。
【発明の詳細な説明】
【技術分野】
【０００１】
本発明は、画像処理装置および画像処理方法、画像表示システム、記録媒体、並びにプログラムに関し、特に、動画像を滑らかに表示させるようにすることができる、画像処理装置および画像処理方法、画像表示システム、記録媒体、並びにプログラムに関する。
【背景技術】
【０００２】
信号処理技術や、画像表示素子の駆動技術を向上させることなどにより、表示される画像の画質を向上することが求められている。
【０００３】
一般に、画質を向上させるためには、画像の解像度を高くして、画像のきめを細かくするようにすれば良い。画像の情報量は、画像を構成する点（ドット）を示すピクセルという単位で表され、ピクセルの数は、例えば、８００×６００や１０２４×７６８など、その画像の持つ縦横のドットの数で表される。すなわち、ピクセル（ドット）数が多いほど、画像のきめが細かくなり、画像を構成する情報が多いことになる。
【０００４】
高解像度で画像を表示することができるようにするために、例えば、ディスプレイ１とディスプレイ２の２台のディスプレイを用いて、通常のシングルモードでは、ディスプレイ１に画像を表示させ、マルチモードでは、画像の、例えば左半分をディスプレイ１に、右半分をディスプレイ２に表示させることによって、１台のみのディスプレイを用いるシステムに対して、マルチモードでは、２倍の解像度で、画像を表示することができるようにした技術がある（例えば、特許文献１参照）。
【０００５】
【特許文献１】特開平１０−１２４０２４号公報
【０００６】
解像度を高くして、画像を表示するようにした場合、画像を構成する情報が多くなるため、ディスプレイ１または２に転送するデータ量が増加し、データ転送速度の高速化が要求される。このため、このシステムでは、ディスプレイ１および２の１ドットあたりのデータ量を削減し、信号処理によって、削減したデータの変換を行うことにより、データ転送速度を高速化せずに、画像データの転送を行うことができるようになされている。
【０００７】
また、１秒間に画面が更新される回数を示す値である、フレームレートを高くすることにより、特に、動画像の画質を向上することができる。
【０００８】
例えば、プロジェクタを用いて、スクリーンに動画像を投影表示する場合、プロジェクタは、フレーム画像を、１ラインずつ水平方向に走査して表示し、１フレームの画像の全てのラインを走査した後、次のフレームの画像データの走査を開始することにより、動画像を表示することができる。
【発明の開示】
【発明が解決しようとする課題】
【０００９】
上述したように、フレームレートを高くすることにより、特に、動画像の画質を向上することができる。しかしながら、高いフレームレートに応じて表示処理を行うためには、表示素子を駆動する駆動回路の処理の高速化が必要となり、更に、画像強度を決定する光量変調素子の反応速度を高速化しなければならないので、技術的にも困難であり、コストアップの原因となっていた。
【００１０】
また、２台のディスプレイを用いて、１台のみのディスプレイを用いるシステムに対して２倍の解像度で画像を表示させる場合、ディスプレイ１ドットあたりのデータ量を減少させて、データ転送速度を高速化しないようにするための技術は、すでに用いられているが、この技術は、表示される動画像のフレームレートを高くするものではない。したがって、２台のディスプレイを用いて、高解像度で画像を表示させることができるシステムにおいても、動画像を滑らかに表示させるためには、表示素子を駆動する駆動回路の処理の高速化および光量変調素子の反応速度の高速化が必要となる。
【００１１】
本発明はこのような状況に鑑みてなされたものであり、表示素子を駆動する駆動回路の高速化を行うことなく、動画像の画質を向上することができるようにするものである。
【課題を解決するための手段】
【００１２】
本発明の第１の画像処理装置は、第１のフレームレートの画像信号の供給を受けて保存する保存手段と、複数の画像表示装置、または、画像表示装置に複数設けられている画像信号の表示処理部への、保存手段により保存された画像信号の出力を制御する出力制御手段と、出力制御手段により出力が制御された画像信号に対応する画像の表示を制御する表示制御手段とを備え、画像表示装置、または、画像表示装置の表示処理部が、少なくともｎ個設けられている場合、出力制御手段は、第１のフレームレートの１／ｎのフレームレートである第２のフレームレートで、ｎ個の画像表示装置、または、表示処理部に、１フレームごとに、保存手段から順次出力されるように、画像信号の出力を制御し、表示制御手段は、出力制御手段によりｎ個の画像表示装置、または、表示処理部に順次出力された画像信号が、第２のフレームレートによる１フレームの走査時間の１／ｎずつずれて、点順次または線順次方式によって、順次描画されるように、画像信号に対応する画像の表示を制御することを特徴とする。
【００１３】
第１のフレームレートの画像信号の同期信号を検出する検出手段を更に備えさせるようにすることができ、出力制御手段には、検出手段により検出された同期信号を基に、画像信号の出力を制御させるようにすることができる。
【００１４】
第１のフレームレートの画像信号をデジタル信号に変換するデジタル信号変換手段と、出力制御手段により出力が制御された第２のフレームレートの画像信号をアナログ信号にそれぞれ変換する複数のアナログ信号変換手段とを更に備えさせるようにすることができる。
【００１５】
第１のフレームレートは２４０Ｈｚであるものとすることができ、第２のフレームレートは６０Ｈｚであるものとすることができ、画像表示装置、または、画像表示装置の表示処理部は、少なくとも４個設けられるようにすることができ、出力制御手段には、２４０Ｈｚの１／４のフレームレートである６０Ｈｚで、４個の画像表示装置、または、表示処理部に、１フレームごとに、保存手段から順次出力されるように、画像信号の出力を制御させるようにすることができる。
【００１６】
第１のフレームレートは２５０Ｈｚであるものとすることができ、第２のフレームレートは５０Ｈｚであるものとすることができ、画像表示装置、または、画像表示装置の表示処理部は、少なくとも５個設けられるようにすることができ、出力制御手段には、２５０Ｈｚの１／５のフレームレートである５０Ｈｚで、５個の画像表示装置、または、表示処理部に、１フレームごとに、保存手段から順次出力されるように、画像信号の出力を制御させるようにすることができる。
【００１７】
第１のフレームレートは１８０Ｈｚであるものとすることができ、第２のフレームレートは６０Ｈｚであるものとすることができ、画像表示装置、または、画像表示装置の表示処理部は、少なくとも３個設けられるものとすることができ、出力制御手段には、１８０Ｈｚの１／３のフレームレートである６０Ｈｚで、３個の画像表示装置、または、表示処理部に、１フレームごとに、保存手段から順次出力されるように、画像信号の出力を制御させるようにすることができる。
【００１８】
第１のフレームレートは１５０Ｈｚであるものとすることができ、第２のフレームレートは５０Ｈｚであるものとすることができ、画像表示装置、または、画像表示装置の表示処理部は、少なくとも３個設けられるものとすることができ、出力制御手段には、１５０Ｈｚの１／３のフレームレートである５０Ｈｚで、３個の画像表示装置、または、表示処理部に、１フレームごとに、保存手段から順次出力されるように、画像信号の出力を制御させるようにすることができる。
【００１９】
本発明の第１の画像処理方法は、第１のフレームレートの画像信号の、保存部への保存を制御する保存制御ステップと、複数の画像表示装置、または、画像表示装置に複数設けられている画像信号の表示処理部への、保存制御ステップの処理により保存部への保存が制御された画像信号の出力を制御する出力制御ステップと、出力制御ステップの処理により出力が制御された画像信号に対応する画像の表示を制御する表示制御ステップとを含み、画像表示装置、または、画像表示装置の表示処理部が、少なくともｎ個設けられている場合、出力制御ステップの処理では、第１のフレームレートの１／ｎのフレームレートである第２のフレームレートで、ｎ個の画像表示装置、または、表示処理部に、１フレームごとに、保存部から順次出力されるように、画像信号の出力を制御し、表示制御ステップの処理では、出力制御ステップの処理によりｎ個の画像表示装置、または、表示処理部に順次出力された画像信号が、第２のフレームレートによる１フレームの走査時間の１／ｎずつずれて、点順次または線順次方式によって、順次描画されるように、画像信号に対応する画像の表示を制御することを特徴とする。
【００２０】
本発明の第１の記録媒体に記録されているプログラムは、第１のフレームレートの画像信号の、保存部への保存を制御する保存制御ステップと、複数の画像表示装置、または、画像表示装置に複数設けられている画像信号の表示処理部への、保存制御ステップの処理により保存部への保存が制御された画像信号の出力を制御する出力制御ステップと、出力制御ステップの処理により出力が制御された画像信号に対応する画像の表示を制御する表示制御ステップとを含み、画像表示装置、または、画像表示装置の表示処理部が、少なくともｎ個設けられている場合、出力制御ステップの処理では、第１のフレームレートの１／ｎのフレームレートである第２のフレームレートで、ｎ個の画像表示装置、または、表示処理部に、１フレームごとに、保存部から順次出力されるように、画像信号の出力を制御し、表示制御ステップの処理では、出力制御ステップの処理によりｎ個の画像表示装置、または、表示処理部に順次出力された画像信号が、第２のフレームレートによる１フレームの走査時間の１／ｎずつずれて、点順次または線順次方式によって、順次描画されるように、画像信号に対応する画像の表示を制御することを特徴とする。
【００２１】
本発明の第１のプログラムは、第１のフレームレートの画像信号の、保存部への保存を制御する保存制御ステップと、複数の画像表示装置、または、画像表示装置に複数設けられている画像信号の表示処理部への、保存制御ステップの処理により保存部への保存が制御された画像信号の出力を制御する出力制御ステップと、出力制御ステップの処理により出力が制御された画像信号に対応する画像の表示を制御する表示制御ステップとを含み、画像表示装置、または、画像表示装置の表示処理部が、少なくともｎ個設けられている場合、出力制御ステップの処理では、第１のフレームレートの１／ｎのフレームレートである第２のフレームレートで、ｎ個の画像表示装置、または、表示処理部に、１フレームごとに、保存部から順次出力されるように、画像信号の出力を制御し、表示制御ステップの処理では、出力制御ステップの処理によりｎ個の画像表示装置、または、表示処理部に順次出力された画像信号が、第２のフレームレートによる１フレームの走査時間の１／ｎずつずれて、点順次または線順次方式によって、順次描画されるように、画像信号に対応する画像の表示を制御することを特徴とする。
【００２２】
本発明の第１の画像表示システムは、画像処理装置が、第１のフレームレートの画像信号の供給を受けて保存する保存手段と、画像表示装置への、保存手段により保存された画像信号の出力を制御する出力制御手段と、画像表示装置による、出力制御手段により出力が制御された画像信号に対応する画像の表示を制御する表示制御手段とを備え、画像表示装置が、点順次または線順次方式によって画像の描画を行う複数の画像表示処理手段と、画像表示処理手段により描画される画像を表示する表示手段とを備え、画像表示処理手段は、少なくとも、ｎ個備えられ、出力制御手段は、第１のフレームレートの１／ｎのフレームレートである第２のフレームレートで、ｎ個の画像表示処理手段に、１フレームごとに、保存手段から順次出力されるように、画像信号の出力を制御し、表示制御手段は、出力制御手段によりｎ個の画像表示処理手段に順次出力された画像信号が、第２のフレームレートによる１フレームの走査時間の１／ｎずつずれて、点順次または線順次方式によって、表示手段に順次描画されるように、画像の表示を制御することを特徴とする。
【００２３】
複数の画像表示処理手段には、表示手段により表示される、画像処理装置から供給された画像信号の、対応する位置のｎ個の画素の画素位置のずれが、１画素の画素幅以内となるように描画を行わせるようにすることができる。
【００２４】
第１のフレームレートは２４０Ｈｚであるものとすることができ、第２のフレームレートは６０Ｈｚであるものとすることができ、画像表示処理手段は、少なくとも、４個備えられるものとすることができ、出力制御手段には、２４０Ｈｚの１／４のフレームレートである６０Ｈｚで、４個の画像表示処理手段に、１フレームごとに、保存手段から順次出力されるように、画像信号の出力を制御させるようにすることができる。
【００２５】
第１のフレームレートは２５０Ｈｚであるものとすることができ、第２のフレームレートは５０Ｈｚであるものとすることができ、画像表示処理手段には、少なくとも、５個備えられるものとすることができ、出力制御手段は、２５０Ｈｚの１／５のフレームレートである５０Ｈｚで、５個の画像表示処理手段に、１フレームごとに、保存手段から順次出力されるように、画像信号の出力を制御させるようにすることができる。
【００２６】
第１のフレームレートは１８０Ｈｚであるものとすることができ、第２のフレームレートは６０Ｈｚであるものとすることができ、画像表示処理手段は、少なくとも、３個備えられるものとすることができ、出力制御手段には、１８０Ｈｚの１／３のフレームレートである６０Ｈｚで、３個の画像表示処理手段に、１フレームごとに、保存手段から順次出力されるように、画像信号の出力を制御させるようにすることができる。
【００２７】
第１のフレームレートは１５０Ｈｚであるものとすることができ、第２のフレームレートは５０Ｈｚであるものとすることができ、画像表示処理手段は、少なくとも、３個備えられるものとすることができ、出力制御手段には、１５０Ｈｚの１／３のフレームレートである５０Ｈｚで、３個の画像表示処理手段に、１フレームごとに、保存手段から順次出力されるように、画像信号の出力を制御させるようにすることができる。
【００２８】
本発明の第２の画像表示システムは、画像処理装置が、第１のフレームレートの画像信号の供給を受けて保存する保存手段と、画像表示装置への、保存手段により保存された画像信号の出力を制御する出力制御手段と、出力制御手段により出力が制御された画像信号に対応する画像の表示を制御する表示制御手段とを備え、画像表示装置が、点順次または線順次方式によって画像の描画を行う画像表示処理手段を備え、画像表示装置は、少なくとも、ｎ個備えられ、出力制御手段は、第１のフレームレートの１／ｎのフレームレートである第２のフレームレートで、ｎ個の画像表示装置に、１フレームごとに、保存手段から順次出力されるように、画像信号の出力を制御し、表示制御手段は、出力制御手段によりｎ個の画像表示装置に順次出力された画像信号が、第２のフレームレートによる１フレームの走査時間の１／ｎずつずれて、点順次または線順次方式によって、順次描画されるように、画像の表示を制御することを特徴とする。
【００２９】
画像表示装置は、画像を投影表示するプロジェクタにより構成されるものとすることができる。
【００３０】
複数の画像表示装置には、画像処理装置から供給された画像信号の、対応する位置のｎ個の画素の画素位置のずれが、１画素の画素幅以内となるように描画を行わせるようにすることができる。
【００３１】
第１のフレームレートは２４０Ｈｚであるものとすることができ、第２のフレームレートは６０Ｈｚであるものとすることができ、画像表示装置は、少なくとも、４個備えられるものとすることができ、出力制御手段には、２４０Ｈｚの１／４のフレームレートである６０Ｈｚで、４個の画像表示装置に、１フレームごとに、保存手段から順次出力されるように、画像信号の出力を制御させるようにすることができる。
【００３２】
第１のフレームレートは２５０Ｈｚであるものとすることができ、第２のフレームレートは５０Ｈｚであるものとすることができ、画像表示装置は、少なくとも、５個備えられるものとすることができ、出力制御手段には、２５０Ｈｚの１／５のフレームレートである５０Ｈｚで、５個の画像表示装置に、１フレームごとに、保存手段から順次出力されるように、画像信号の出力を制御させるようにすることができる。
【００３３】
第１のフレームレートは１８０Ｈｚであるものとすることができ、第２のフレームレートは６０Ｈｚであるものとすることができ、画像表示装置は、少なくとも、３個備えられるものとすることができ、出力制御手段には、１８０Ｈｚの１／３のフレームレートである６０Ｈｚで、３個の画像表示装置に、１フレームごとに、保存手段から順次出力されるように、画像信号の出力を制御させるようにすることができる。
【００３４】
第１のフレームレートは１５０Ｈｚであるものとすることができ、第２のフレームレートは５０Ｈｚであるものとすることができ、画像表示装置は、少なくとも、３個備えられるものとすることができ、出力制御手段には、１５０Ｈｚの１／３のフレームレートである５０Ｈｚで、３個の画像表示装置に、１フレームごとに、保存手段から順次出力されるように、画像信号の出力を制御させるようにすることができる。
【００３５】
本発明の第１の画像処理装置、画像処理方法、プログラム、並びに、第１の画像処理システムおよび第２の画像処理システムにおいては、第１のフレームレートの画像信号が保存され、少なくともｎ個の画像表示装置、または、画像表示装置に少なくともｎ個設けられている画像信号の表示処理部へ、第１のフレームレートの１／ｎのフレームレートである第２のフレームレートの画像信号が、１フレームごとに順次出力され、第２のフレームレートによる１フレームの走査時間の１／ｎずつずれて、点順次または線順次方式によって、順次描画されるように、画像信号に対応する画像の表示が制御される。
【００３６】
本発明の第２の画像処理装置は、第１のフレームレートの画像信号の供給を受けて、複数の画像信号系列に、フレームごとに分離する分離手段と、分離手段により分離された画像信号系列をそれぞれ保存する複数の保存手段と、複数の画像表示装置、または、画像表示装置に複数設けられている画像信号の表示処理部への、複数の保存手段により保存された画像信号系列のそれぞれの出力を制御する出力制御手段と、出力制御手段により出力が制御された複数の画像信号系列の全てで構成される画像信号に対応する画像の表示を制御する表示制御手段とを備え、画像表示装置、または、表示処理部が、少なくともｎ個設けられている場合、分離手段は、画像信号をｎ系列の画像信号系列に分離し、保存手段は、ｎ個備えられ、出力制御手段は、ｎ個の保存手段によりそれぞれ保存された画像信号系列が、第１のフレームレートの１／ｎのフレームレートである第２のフレームレートで、ｎ個の画像表示装置、または、表示処理部に、１フレームごとに、順次出力されるように、画像信号系列の出力を制御し、表示制御手段は、出力制御手段によりｎ個の画像表示装置、または、表示処理部に順次出力された、第２のフレームレートの画像信号系列が、第２のフレームレートによる１フレームの走査時間の１／ｎずつずれて、点順次または線順次方式によって、順次描画されるように、画像信号系列の全てで構成される画像信号に対応する画像の表示を制御することを特徴とする。
【００３７】
第１のフレームレートの画像信号の同期信号を検出する検出手段を更に備えさせるようにすることができ、出力制御手段には、検出手段により検出された同期信号を基に、画像信号の出力を制御させるようにすることができる。
【００３８】
第１のフレームレートの画像信号をデジタル信号に変換するデジタル信号変換手段と、出力制御手段により出力が制御された第２のフレームレートの画像信号系列を、アナログ信号にそれぞれ変換する複数のアナログ信号変換手段とを更に備えさせるようにすることができる。
【００３９】
第１のフレームレートは２４０Ｈｚであるものとすることができ、第２のフレームレートは６０Ｈｚであるものとすることができ、画像表示装置、または、表示処理部は、少なくとも４個設けられるものとすることができ、分離手段には、画像信号を４系列の画像信号系列に分離させるようにすることができ、保存手段は、４個備えられるものとすることができ、出力制御手段には、４個の保存手段によりそれぞれ保存された画像信号系列が、６０Ｈｚで、４個の画像表示装置、または、表示処理部に、１フレームごとに、順次出力されるように、画像信号系列の出力を制御させるようにすることができる。
【００４０】
第１のフレームレートは２５０Ｈｚであるものとすることができ、第２のフレームレートは５０Ｈｚであるものとすることができ、画像表示装置、または、表示処理部は、少なくとも５個設けられるものとすることができ、分離手段には、画像信号を５系列の画像信号系列に分離させるようにすることができ、保存手段は、５個備えられるものとすることができ、出力制御手段には、５個の保存手段によりそれぞれ保存された画像信号系列が、５０Ｈｚで、５個の画像表示装置、または、表示処理部に、１フレームごとに、順次出力されるように、画像信号系列の出力を制御させるようにすることができる。
【００４１】
第１のフレームレートは１８０Ｈｚであるものとすることができ、第２のフレームレートは６０Ｈｚであるものとすることができ、画像表示装置、または、表示処理部は、少なくとも３個設けられるものとすることができ、分離手段には、画像信号を３系列の画像信号系列に分離させるようにすることができ、保存手段は、３個備えられるものとすることができ、出力制御手段には、３個の保存手段によりそれぞれ保存された画像信号系列が、６０Ｈｚで、３個の画像表示装置、または、表示処理部に、１フレームごとに、順次出力されるように、画像信号系列の出力を制御させるようにすることができる。
【００４２】
第１のフレームレートは１５０Ｈｚであるものとすることができ、第２のフレームレートは５０Ｈｚであるものとすることができ、画像表示装置、または、表示処理部は、少なくとも３個設けられるものとすることができ、分離手段には、画像信号を３系列の画像信号系列に分離させるようにすることができ、保存手段は、３個備えられるものとすることができ、出力制御手段には、３個の保存手段によりそれぞれ保存された画像信号系列が、５０Ｈｚで、３個の画像表示装置、または、表示処理部に、１フレームごとに、順次出力されるように、画像信号系列の出力を制御させるようにすることができる。
【００４３】
本発明の第２の画像処理方法は、第１のフレームレートの画像信号の供給を受けて、複数の画像信号系列に、フレームごとに分離する分離ステップと、分離ステップの処理により分離された画像信号系列の、複数の保存部への保存を制御する保存制御ステップと、複数の画像表示装置、または、画像表示装置に複数設けられている画像信号の表示処理部への、複数の保存制御ステップの処理により複数の保存部への保存が制御された画像信号系列のそれぞれの出力を制御する出力制御ステップと、出力制御ステップの処理により出力が制御された複数の画像信号系列の全てで構成される画像信号に対応する画像の表示を制御する表示制御ステップとを含み、画像表示装置、または、表示処理部が、少なくともｎ個設けられている場合、分離ステップの処理では、画像信号をｎ系列の画像信号系列に分離し、保存部は、ｎ個備えられ、出力制御ステップの処理では、保存制御ステップの処理によりｎ個の保存部への保存が制御された画像信号系列が、第１のフレームレートの１／ｎのフレームレートである第２のフレームレートで、ｎ個の画像表示装置、または、表示処理部に、１フレームごとに、順次出力されるように、画像信号系列の出力を制御し、表示制御ステップの処理では、出力制御ステップの処理によりｎ個の画像表示装置、または、表示処理部に順次出力された、第２のフレームレートの画像信号系列が、第２のフレームレートによる１フレームの走査時間の１／ｎずつずれて、点順次または線順次方式によって、順次描画されるように、画像信号系列の全てで構成される画像信号に対応する画像の表示を制御することを特徴とする。
【００４４】
本発明の第２の記録媒体に記録されているプログラムは、第１のフレームレートの画像信号の供給を受けて、複数の画像信号系列に、フレームごとに分離する分離ステップと、分離ステップの処理により分離された画像信号系列の、複数の保存部への保存を制御する保存制御ステップと、複数の画像表示装置、または、画像表示装置に複数設けられている画像信号の表示処理部への、複数の保存制御ステップの処理により複数の保存部への保存が制御された画像信号系列のそれぞれの出力を制御する出力制御ステップと、出力制御ステップの処理により出力が制御された複数の画像信号系列の全てで構成される画像信号に対応する画像の表示を制御する表示制御ステップとを含み、画像表示装置、または、表示処理部が、少なくともｎ個設けられている場合、分離ステップの処理では、画像信号をｎ系列の画像信号系列に分離し、保存部は、ｎ個備えられ、出力制御ステップの処理では、保存制御ステップの処理によりｎ個の保存部への保存が制御された画像信号系列が、第１のフレームレートの１／ｎのフレームレートである第２のフレームレートで、ｎ個の画像表示装置、または、表示処理部に、１フレームごとに、順次出力されるように、画像信号系列の出力を制御し、表示制御ステップの処理では、出力制御ステップの処理によりｎ個の画像表示装置、または、表示処理部に順次出力された、第２のフレームレートの画像信号系列が、第２のフレームレートによる１フレームの走査時間の１／ｎずつずれて、点順次または線順次方式によって、順次描画されるように、画像信号系列の全てで構成される画像信号に対応する画像の表示を制御することを特徴とする。
【００４５】
本発明の第２のプログラムは、第１のフレームレートの画像信号の供給を受けて、複数の画像信号系列に、フレームごとに分離する分離ステップと、分離ステップの処理により分離された画像信号系列の、複数の保存部への保存を制御する保存制御ステップと、複数の画像表示装置、または、画像表示装置に複数設けられている画像信号の表示処理部への、複数の保存制御ステップの処理により複数の保存部への保存が制御された画像信号系列のそれぞれの出力を制御する出力制御ステップと、出力制御ステップの処理により出力が制御された複数の画像信号系列の全てで構成される画像信号に対応する画像の表示を制御する表示制御ステップとを含み、画像表示装置、または、表示処理部が、少なくともｎ個設けられている場合、分離ステップの処理では、画像信号をｎ系列の画像信号系列に分離し、保存部は、ｎ個備えられ、出力制御ステップの処理では、保存制御ステップの処理によりｎ個の保存部への保存が制御された画像信号系列が、第１のフレームレートの１／ｎのフレームレートである第２のフレームレートで、ｎ個の画像表示装置、または、表示処理部に、１フレームごとに、順次出力されるように、画像信号系列の出力を制御し、表示制御ステップの処理では、出力制御ステップの処理によりｎ個の画像表示装置、または、表示処理部に順次出力された、第２のフレームレートの画像信号系列が、第２のフレームレートによる１フレームの走査時間の１／ｎずつずれて、点順次または線順次方式によって、順次描画されるように、画像信号系列の全てで構成される画像信号に対応する画像の表示を制御することを特徴とする。
【００４６】
本発明の第３の画像表示システムは、画像処理装置が、第１のフレームレートの画像信号の供給を受けて、複数の画像信号系列に、フレームごとに分離する分離手段と、分離手段により分離された画像信号系列をそれぞれ保存する複数の保存手段と、画像表示装置への、複数の保存手段により保存された画像信号系列のそれぞれの出力を制御する出力制御手段と、出力制御手段により出力が制御された複数の画像信号系列の全てで構成される画像信号に対応する画像の表示を制御する表示制御手段とを備え、画像表示装置が、点順次または線順次方式によって画像の描画を行う複数の画像表示処理手段と、画像表示処理手段により描画される画像を表示する表示手段とを備え、画像表示処理手段は、少なくとも、ｎ個備えられ、分離手段は、画像信号をｎ系列の画像信号系列に分離し、保存手段は、ｎ個備えられ、出力制御手段は、ｎ個の保存手段によりそれぞれ保存された画像信号系列が、第１のフレームレートの１／ｎのフレームレートである第２のフレームレートで、ｎ個の画像表示処理手段に、１フレームごとに、順次出力されるように、画像信号系列の出力を制御し、表示制御手段は、出力制御手段によりｎ個の画像表示処理手段に順次出力された、第２のフレームレートの画像信号系列が、第２のフレームレートによる１フレームの走査時間の１／ｎずつずれて、点順次または線順次方式によって、表示手段に順次描画されるように、画像信号系列の全てで構成される画像信号に対応する画像の表示を制御することを特徴とする。
【００４７】
複数の画像表示処理手段には、表示手段により表示される、画像処理装置から供給された画像信号の、対応する位置のｎ個の画素の画素位置のずれが、１画素の画素幅以内となるように描画を行わせるようにすることができる。
【００４８】
第１のフレームレートは２４０Ｈｚであるものとすることができ、第２のフレームレートは６０Ｈｚであるものとすることができ、画像表示処理手段は、少なくとも、４個備えられるものとすることができ、分離手段には、画像信号を４系列の画像信号系列に分離させるようにすることができ、保存手段は、４個備えられるものとすることができ、出力制御手段には、４個の保存手段によりそれぞれ保存された画像信号系列が、６０Ｈｚで、４個の画像表示処理手段に、１フレームごとに、順次出力されるように、画像信号系列の出力を制御させるようにすることができる。
【００４９】
第１のフレームレートは２５０Ｈｚであるものとすることができ、第２のフレームレートは５０Ｈｚであるものとすることができ、画像表示処理手段は、少なくとも、５個備えられるものとすることができ、分離手段には、画像信号を５系列の画像信号系列に分離させるようにすることができ、保存手段は、５個備えられるものとすることができ、出力制御手段には、５個の保存手段によりそれぞれ保存された画像信号系列が、５０Ｈｚで、５個の画像表示処理手段に、１フレームごとに、順次出力されるように、画像信号系列の出力を制御させるようにすることができる。
【００５０】
第１のフレームレートは１８０Ｈｚであるものとすることができ、第２のフレームレートは６０Ｈｚであるものとすることができ、画像表示処理手段は、少なくとも、３個備えられるものとすることができ、分離手段には、画像信号を３系列の画像信号系列に分離させるようにすることができ、保存手段は、３個備えられるものとすることができ、出力制御手段には、３個の保存手段によりそれぞれ保存された画像信号系列が、６０Ｈｚで、３個の画像表示処理手段に、１フレームごとに、順次出力されるように、画像信号系列の出力を制御させるようにすることができる。
【００５１】
第１のフレームレートは１５０Ｈｚであるものとすることができ、第２のフレームレートは５０Ｈｚであるものとすることができ、画像表示処理手段は、少なくとも、３個備えられるものとすることができ、分離手段には、画像信号を３系列の画像信号系列に分離させるようにすることができ、保存手段は、３個備えられるものとすることができ、出力制御手段には、３個の保存手段によりそれぞれ保存された画像信号系列が、５０Ｈｚで、３個の画像表示処理手段に、１フレームごとに、順次出力されるように、画像信号系列の出力を制御させるようにすることができる。
【００５２】
本発明の第４の画像表示システムは、画像処理装置が、第１のフレームレートの画像信号の供給を受けて、複数の画像信号系列に、フレームごとに分離する分離手段と、分離手段により分離された画像信号系列をそれぞれ保存する複数の保存手段と、画像表示装置への、複数の保存手段により保存された画像信号系列のそれぞれの出力を制御する出力制御手段と、出力制御手段により出力が制御された複数の画像信号系列の全てで構成される画像信号に対応する画像の表示を制御する表示制御手段とを備え、画像表示装置が、点順次または線順次方式によって画像の描画を行う画像表示処理手段を備え、画像表示装置は、少なくとも、ｎ個備えられ、分離手段は、画像信号をｎ系列の画像信号系列に分離し、保存手段は、ｎ個備えられ、出力制御手段は、ｎ個の保存手段によりそれぞれ保存された画像信号系列が、第１のフレームレートの１／ｎのフレームレートである第２のフレームレートで、ｎ個の画像表示装置に、１フレームごとに、順次出力されるように、画像信号系列の出力を制御し、表示制御手段は、出力制御手段によりｎ個の画像表示装置に順次出力された、第２のフレームレートの画像信号系列が、第２のフレームレートによる１フレームの走査時間の１／ｎずつずれて、点順次または線順次方式によって、順次描画されるように、画像信号系列の全てで構成される画像信号に対応する画像の表示を制御することを特徴とする。
【００５３】
画像表示装置は、画像を投影表示するプロジェクタにより構成されるものとすることができる。
【００５４】
複数の画像表示装置には、画像処理装置から供給された画像信号の、対応する位置のｎ個の画素の画素位置のずれが、１画素の画素幅以内となるように描画を行わせるようにすることができる。
【００５５】
第１のフレームレートは２４０Ｈｚであるものとすることができ、第２のフレームレートは６０Ｈｚであるものとすることができ、画像表示装置は、少なくとも、４個備えられるものとすることができ、分離手段には、画像信号を４系列の画像信号系列に分離させるようにすることができ、保存手段は、４個備えられるものとすることができ、出力制御手段には、４個の保存手段によりそれぞれ保存された画像信号系列が、６０Ｈｚで、４個の画像表示装置に、１フレームごとに、順次出力されるように、画像信号系列の出力を制御させるようにすることができる。
【００５６】
第１のフレームレートは２５０Ｈｚであるものとすることができ、第２のフレームレートは５０Ｈｚであるものとすることができ、画像表示装置は、少なくとも、５個備えられるものとすることができ、分離手段には、画像信号を５系列の画像信号系列に分離させるようにすることができ、保存手段は、５個備えられるものとすることができ、出力制御手段には、５個の保存手段によりそれぞれ保存された画像信号系列が、５０Ｈｚで、５個の画像表示装置に、１フレームごとに、順次出力されるように、画像信号系列の出力を制御させるようにすることができる。
【００５７】
第１のフレームレートは１８０Ｈｚであるものとすることができ、第２のフレームレートは６０Ｈｚであるものとすることができ、画像表示装置は、少なくとも、３個備えられるものとすることができ、分離手段には、画像信号を３系列の画像信号系列に分離させるようにすることができ、保存手段は、３個備えられるものとすることができ、出力制御手段には、３個の保存手段によりそれぞれ保存された画像信号系列が、６０Ｈｚで、３個の画像表示装置に、１フレームごとに、順次出力されるように、画像信号系列の出力を制御させるようにすることができる。
【００５８】
第１のフレームレートは１５０Ｈｚであるものとすることができ、第２のフレームレートは５０Ｈｚであるものとすることができ、画像表示装置は、少なくとも、３個備えられるものとすることができ、分離手段には、画像信号を３系列の画像信号系列に分離させるようにすることができ、保存手段は、３個備えられるものとすることができ、出力制御手段には、３個の保存手段によりそれぞれ保存された画像信号系列が、５０Ｈｚで、３個の画像表示装置に、１フレームごとに、順次出力されるように、画像信号系列の出力を制御させるようにすることができる。
【００５９】
本発明の第２の画像処理装置、画像処理方法、プログラム、並びに、第３の画像処理システムおよび第４の画像処理システムにおいては、第１のフレームレートの画像信号が、ｎ系列の画像信号系列に、フレームごとに分離され、分離された画像信号系列がそれぞれ保存され、少なくともｎ個の画像表示装置、または、画像表示装置に少なくともｎ個設けられている画像信号の表示処理部へ、画像信号系列が、第１のフレームレートの１／ｎのフレームレートである第２のフレームレートで、１フレームごとに、順次出力され、複数の画像信号系列の全てで構成される画像信号が、第２のフレームレートによる１フレームの走査時間の１／ｎずつずれて、点順次または線順次方式によって、順次描画されるように、画像の表示が制御される。
【発明の効果】
【００６０】
このように、本発明によれば、画像表示に用いられる画像信号を処理することができる。特に、供給された画像信号をｎ個の表示デバイスに出力する画像信号に変換することにより、プロジェクタなど表示デバイスに、その表示デバイスの能力のｎ倍のフレームレートの動画像を表示させるようにすることができる。
【００６１】
また、他の本発明によれば、画像を表示することができる他、供給された画像信号をｎ個の表示デバイスに出力することにより、その表示デバイスの能力のｎ倍のフレームレートの動画像を表示することができる。
【発明を実施するための最良の形態】
【００６２】
以下、図を参照して、本発明の実施の形態について説明する。
【００６３】
図１は、本発明を適用した、画像表示システム１の構成を示すブロック図である。画像表示システム１は、画像信号変換装置１１と、画像表示装置１２とで構成されている。画像表示システム１は、動画像に対応するアナログの画像信号の供給を受けて、画像信号変換装置１１で画像信号を処理し、画像表示装置１２に供給して、動画像を表示するようになされている。
【００６４】
画像信号変換装置１１に供給されたアナログの画像信号は、Ａ／Ｄ変換部２１および同期信号検出部２２に供給される。
【００６５】
Ａ／Ｄ変換部２１は、フレームレートｍのアナログの画像信号を、デジタルの画像信号に変換して、フレームメモリ２３に供給する。同期信号検出部２２は、画像信号から、画像信号のフレームレートおよびドットクロックを検出して、垂直同期信号およびドットクロック信号を生成し、コントローラ２４に供給する。ドットクロックとは、ディスプレイの１ドットを表示するために必要な時間の逆数である。
【００６６】
コントローラ２４は、同期信号検出部２２から、垂直同期信号およびドットクロック信号の供給を受けて、フレームメモリ２３からの映像信号の出力を制御するとともに、フレームメモリ２３からの映像信号の出力に関する情報を、表示制御部２７に供給する。フレームメモリ２３は、コントローラ２４の制御に基づいて、供給されたデジタルの画像信号を、D/A変換部２５−１またはD/A変換部２５−２に出力する。
【００６７】
図２を参照して、コントローラ２４の制御による、フレームメモリ２３の映像信号の入出力について説明する。
【００６８】
フレームメモリ２３に入力される入力映像信号Ｓ１のフレームレートを、ｍとする。また、フレームメモリ２３に順次入力されるフレームを、αフレーム、α＋１フレーム、α＋２フレーム・・・とする。αフレームおよびα＋１フレームが、フレームメモリ２３に順次入力された場合、コントローラ２４は、フレームメモリ２３を制御して、入力映像信号Ｓ１のフレームレートの１／２であるｍ／２のフレームレートで、αフレームを、出力映像信号Ｓ２として、Ｄ／Ａ変換部２５に供給させ、α＋１フレームを、出力映像信号Ｓ３として、αフレームの供給開始時刻ａよりも、１／ｍだけ遅らせた供給開始時刻ｂで、Ｄ／Ａ変換部２５−２に供給させる。
【００６９】
αフレームのＤ／Ａ変換部２５への供給にかかる時間は、２／ｍとなり、供給終了時刻ｃは、α＋１フレームのＤ／Ａ変換部２５−２への供給開始時刻ｂから、１／ｍだけ後になる。フレームメモリ２３には、α＋１フレームに次いで、α＋２フレームおよびα＋３フレームが順次入力されるので、コントローラ２４は、フレームメモリ２３を制御して、入力映像信号Ｓ１のフレームレートの１／２のフレームレートで、αフレームの供給から連続させて（すなわち、供給開始時刻をｃとして）、α＋２フレームを、出力映像信号Ｓ２として、Ｄ／Ａ変換部２５に供給させる。また、コントローラ２４は、α＋３フレームも、同様にして、α＋２フレームの供給開始時刻ｃよりも、更に１／ｍだけ遅らせて、α＋１フレームの供給終了時刻と等しい供給開始時刻ｄで、出力映像信号Ｓ３として、Ｄ／Ａ変換部２５−２に供給させる。
【００７０】
出力映像信号Ｓ２および出力映像信号Ｓ３の供給タイミングのずれは、入力映像信号Ｓ１の垂直同期信号によって決まる。すなわち、図２に示されるように、出力映像信号Ｓ２および出力映像信号Ｓ３の供給開始時刻ａ乃至ｆの間隔は、入力映像信号Ｓ１の１フレーム間隔と等しい。コントローラ２４は、同期信号検出部２２から供給される垂直同期信号を基に、出力映像信号Ｓ２のＤ／Ａ変換部２５への供給タイミング、および、出力映像信号Ｓ３のＤ／Ａ変換部２５−２への供給タイミングを制御する。
【００７１】
このように、コントローラ２４は、フレームメモリ２３を制御して、入力映像信号Ｓ１のフレームレートｍの１／２である、フレームレートｍ／２で、１フレームずつ交互に、それぞれのフレームの供給開始時刻が、出力される１フレーム供給時間（２／ｍ）に対して半分（１／ｍ）ずつずれるように、Ｄ／Ａ変換部２５およびＤ／Ａ変換部２５−２に、出力映像信号Ｓ２および出力映像信号Ｓ３を供給させる。
【００７２】
図１の画像表示システム１の説明に戻る。
【００７３】
D/A変換部２５−１は、供給されたデジタルの画像信号を、アナログの画像信号に変換し、画像表示装置１２の走査制御部４１−１に供給する。D/A変換部２５−２は、供給されたデジタルの画像信号を、アナログの画像信号に変換し、画像表示装置１２の走査制御部４１−２に供給する。
【００７４】
表示制御部２７は、コントローラ２４から供給された情報を基に、画像表示装置１２による動画像の表示を制御し、図２を用いて説明したタイミングと同様のタイミングで、出力映像信号Ｓ２および出力映像信号Ｓ３に対応するフレーム画像を表示させる。
【００７５】
図２を用いて説明したように、出力映像信号Ｓ２および出力映像信号Ｓ３のフレームレートは、入力映像信号Ｓ１のフレームレートの１／２のフレームレートである。すなわち、出力映像信号Ｓ２および出力映像信号Ｓ３のドットクロックは、入力映像信号Ｓ１のドットクロックの１／２となる。表示制御部２７は、コントローラ２４から供給される、フレームメモリ２３からの映像信号の出力に関する情報を基に、画像表示装置１２において表示される出力映像信号Ｓ２および出力映像信号Ｓ３のドットクロックが、入力映像信号Ｓ１のドットクロックの１／２となるように制御する。
【００７６】
また、コントローラ２４には、必要に応じて、ドライブ２８が接続される。ドライブ２８には、磁気ディスク３１、光ディスク３２、光磁気ディスク３３、または、半導体メモリ３４が装着され、情報を授受できるようになされている。
【００７７】
画像表示装置１２は、映像信号変換装置１１により変換された、２系統のアナログ映像信号の供給を受け、表示制御部２７の制御に基づいて、走査制御部４１−１および走査制御部４１−２を用いて、表示部４３に、動画像を表示する。
【００７８】
走査制御部４１−１は、図２を用いて説明したタイミングでフレームメモリ２３から読み出され、D/A変換部２５−１でアナログ信号に変換された、出力映像信号Ｓ２に対応するアナログ映像信号の供給を受ける。また、走査制御部４１−２は、図２を用いて説明したタイミングでフレームメモリ２３から読み出され、D/A変換部２５−２でアナログ信号に変換された、出力映像信号Ｓ３に対応するアナログ映像信号の供給を受ける。
【００７９】
そして、走査制御部４１−１および走査制御部４１−２は、供給されたアナログの映像信号を、点順次、または、線順次走査方式によって表示部４３に表示させる。このとき、走査制御部４１−１および走査制御部４１−２は、連続したフレームを、１／２フレームずらして交互に走査することにより、走査制御部４１−１または走査制御部４１−２における単独での画像描画のフレームレートの２倍のフレームレートで、表示部４３への画像表示を行うことができる。
【００８０】
また、画像表示装置１２は、一つの装置として構成される以外にも、複数の装置により構成される画像表示システムとして構成するようにしても良い。画像表示装置１２が画像表示システムとして構成される場合、例えば、図３に示されるように、プロジェクタ５１−１、プロジェクタ５１−２、および、スクリーン５２により構成することができる。
【００８１】
画像表示装置１２の具体的な動作について、図３に示されるプロジェクタ５１−１、プロジェクタ５１−２、および、スクリーン５２を用いた場合を例として説明する。プロジェクタ５１−１は、図１の走査制御部４１−１に対応し、プロジェクタ５１−２は、図１の走査制御部４１−２に対応し、スクリーン５２は、図１の表示部４３に対応する。
【００８２】
例えば、プロジェクタ５１−１は、図２を用いて説明したタイミングでフレームメモリ２３から読み出され、D/A変換部２５−１でアナログ信号に変換された、出力映像信号Ｓ２に対応するアナログ映像信号の供給を受ける。また、プロジェクタ５１−２は、図２を用いて説明したタイミングでフレームメモリ２３から読み出され、D/A変換部２５−２でアナログ信号に変換された、出力映像信号Ｓ３に対応するアナログ映像信号の供給を受ける。
【００８３】
プロジェクタ５１−１およびプロジェクタ５１−２は、それぞれ、表示制御部２７の制御に基づいたタイミングで、表示される表示画像を構成する画素（Ｘ，Ｙ）＝（０，０）から、画素（Ｘ，Ｙ）＝（ｐ，ｑ）を、スクリーン５２に水平方向に走査することにより、供給された映像信号に対応するフレーム画像を表示する。プロジェクタ５１−１とプロジェクタ５１−２がスクリーン５２に表示させるフレーム画像のそれぞれのフレームレートは、ｍ／２である。また、プロジェクタ５１−１とプロジェクタ５１−２によって表示される各フレームの走査開始タイミングは、図２を用いて説明した出力映像信号ＳＳおよび出力映像信号Ｓ３における場合と同様に、プロジェクタ５１−１とプロジェクタ５１−２による、それぞれの１フレームの表示に対して、１／２だけずれており、走査の位相差は、１／ｍとなる。
【００８４】
例えば、プロジェクタ５１−２が、スクリーン５２上の走査Ｂで示されるラインに、α＋１フレームの対応するラインを走査しているとき、プロジェクタ５１−１は、スクリーン５２上の走査Ａで示されるラインに、α＋２フレームの対応するラインを走査している。走査Ｂで示されるラインは、走査Ａで示されるラインから、１フレームのライン数の１／２だけずれたラインである。すなわち、スクリーン５２に表示される動画像は、時間１／ｍごとに、走査Ａおよび走査Ｂによって、交互に書き換えられる。
【００８５】
例えば、プロジェクタ５１−１およびプロジェクタ５１−２において出力される表示画像のフレームレートが、それぞれ、１５０Ｈｚであった場合、スクリーンに表示される動画像のフレームレートは、実質的に、３００Ｈｚとなる。
【００８６】
なお、走査Ａと走査Ｂによる同一位置の走査ラインのずれが発生しないようにするために、従来の、いわゆるツインスタック技術において用いられる光学的な画像の位置補正と同様の技術を用いて、画素の走査位置を補正することが可能である。ツインスタック技術とは、プロジェクタを２台使用して、同時に同一の画像を同一位置に表示することにより、明るい画像を表示することができる技術である。ツインスタックを用いて画像を表示する場合には、表示される画像の輝度が２倍となり、周囲の環境が明るい場合や、投影距離が長い場合にも 鮮明な投影が可能となる。
【００８７】
ツインスタック技術を用いた場合、投影される２つの画像の画素位置のずれによる画像のボケの発生が問題となっていたが、この問題を解決するために、光学的に投影される画素の画素位置を微調整することができる、いわゆるピクチャーシフト機能が広く用いられており、２台のプロジェクタから投影される画像の位置を厳密に合わせることが可能である。
【００８８】
なお、投影される２つの画像の画素位置のずれを補正するための技術は、例えば、特願平１０−０５８２９１などに開示されている。
【００８９】
画像表示装置１２においては、走査Ａと走査Ｂによる走査ラインのずれが、１画素（１ドット、または１ピクセル）以内となるように調整することにより、１フレームずれた画像との重なりにより、画像がぼやけてしまうことなく、動画像を表示することが可能となる。
【００９０】
上述したように、プロジェクタ５１−１およびプロジェクタ５１−２により、１／２フレームずらして、１フレームずつ交互に、フレーム画像が描画されるようになされた場合、一方のプロジェクタによって、１フレームが完全に走査されて描画されるよりも早く、他方のプロジェクタによって、次のフレームの画像の描画のための走査が開始される。このとき、図３のスクリーン５２に表示される物体Ｃが、例えば、表示画面上で、左から右に移動するように表示される場合、動画像を観測するユーザにとっては、エッジ部分βの移動の滑らかさが、表示される動画の滑らかさとして感じられる。
【００９１】
スクリーン５２に表示される物体Ｃのエッジ部分βの表示について、図４を用いて説明する。
【００９２】
プロジェクタ５１−１により、αフレームの物体Ｃが表示され、時間１／ｍ後に、プロジェクタ５１−２により、α＋１フレームの物体Ｃが表示される。このときの、物体Ｃのエッジ部分βの位置は、αフレームの表示から、時間１／ｍで書き換えられる。そして、プロジェクタ５１−１により、時間１／ｍ後に、α＋２フレームの物体Ｃが表示される。このときの、物体Ｃのエッジ部分βは、α＋１フレームの表示から、時間１／ｍで書き換えられる。
【００９３】
例えば、プロジェクタ５１−１およびプロジェクタ５１−２において出力される表示画像のフレームレートが、それぞれ、１５０Ｈｚである場合、プロジェクタ５１−１またはプロジェクタ５１−２が単独で表示した動画像においては、フレームが１／１５０（秒）ごとに書き換えられる。それに対して、プロジェクタ５１−１およびプロジェクタ５１−２を用いて、１フレームずつ交互にフレーム画像を表示することによってスクリーン５２に表示される物体Ｃのエッジ部分βは、１／３００（秒）でリフレッシュされる。したがって、ユーザにより観測される物体Ｃのエッジ部分βの動きは、非常に滑らかになる。
【００９４】
ここでは、画像表示装置１２は、表示制御部２７の制御を受けて、画像の表示を制御するものとして説明しているが、画像表示装置１２は、表示制御部２７を内部に有し、コントローラ２４から、画像表示に必要な制御信号の供給を受けるようにしたり、内部に表示制御部２７とは異なる制御部を備え、表示制御部２７から、垂直同期信号や、ドットクロック信号などの供給を受けて、例えば、図３を用いて説明したプロジェクタ５１−１およびプロジェクタ５１−２の動作を制御するようにしても良い。
【００９５】
また、ここでは、画像表示装置１２の動作について、プロジェクタ５１−１、プロジェクタ５１−２、および、スクリーン５２で構成された投影表示システムを例として説明したが、画像表示装置１２は、２つの表示デバイスを用いて、１／２フレームずらして、連続したフレームを交互に走査させるようにすることにより、それぞれの表示デバイスの単独でのフレームレートの２倍のフレームレートで、動画像の表示を行うことができるものであれば、点順次、または、線順次走査方式によって、画像の描画を行ういかなる表示システムを用いるようにしても良い。
【００９６】
画像表示装置１２には、例えば、ＣＲＴ（Cathode Ray Tube），ＬＣＤ（Liquid Crystal Display：液晶ディスプレイ），ＧＬＶ（Grating Light Valve），ＬＥＤ（Light Emitting Diode：発光ダイオード），ＦＥＤ（Field Emission Display）の直視型のディスプレイ、または、プロジェクタなどであって、点順次、または、線順次走査方式によって、画像の描画を行うものを用いることができる。
【００９７】
例えば、ＧＬＶとは、光の回折効果を利用して光の向きや色などを制御する投影デバイスである、マイクロリボンアレイを使用した画像表示技術である。マイクロリボンアレイとは、極小の光回折素子を１列に並べたもので、ＧＬＶでは、これにレーザ光を当てることで、画像の投影を行う。リボンは、電気信号により独立して駆動することができ、駆動量を調節することで光回折量を変化させ、各リボンの差異により画像の明暗を作り出すことができるので、滑らかな階調表現と高コントラストを実現することができる。
【００９８】
ＬＥＤは、２種類の半導体が接合されて生成される素子で、電流を加えることにより、発光することができるものである。
【００９９】
ＦＥＤは、陰極から電子を取り出して、陽極に塗布した蛍光体に衝突させて発光させるという、ＣＲＴと同様の発光原理により、画像を得ることができるものである。 ただし、陰極の構造として、ＣＲＴは点電子源を用いるのに対して、ＦＥＤは面状の電子源を用いる。
【０１００】
次に、図５のフローチャートを参照して、図１の画像表示システム１が実行する、表示制御処理１について説明する。
【０１０１】
ステップＳ１において、同期信号検出部２２は、供給されたアナログの映像信号から、同期信号およびドットクロックを検出し、垂直同期信号およびドットクロック信号を、コントローラ２４に供給する。
【０１０２】
ステップＳ２において、Ａ／Ｄ変換部２１は、供給されたアナログの映像信号をＡ／Ｄ変換し、デジタルの映像信号を、フレームメモリ２３に供給する。
【０１０３】
ステップＳ３において、フレームメモリ２３は、供給されたデジタルの映像信号を、順次保存する。
【０１０４】
ステップＳ４において、フレームメモリ２３は、コントローラ２４の制御にしたがって、図２を用いて説明したように、入力映像信号Ｓ１の半分の速度の出力ドットクロックとなるフレームレートで、１フレームの表示のための走査にかかる時間の半分の時間だけずらして、１フレームずつの映像信号を、２つのD/A変換部２５−１およびD/A変換部２５−２に、交互に出力する。D/A変換部２５−１に出力される映像信号が出力映像信号Ｓ２であり、D/A変換部２５−２に出力される映像信号が出力映像信号Ｓ３である。
【０１０５】
換言すれば、コントローラ２４は、フレームメモリ２３に保存されているフレームを、奇数フレームと偶数フレームにフレームを分離させ、それぞれのフレームを、１フレームの表示のための走査にかかる時間の半分の時間だけずれるようにして、D/A変換部２５−１およびD/A変換部２５−２に、交互に出力させるように、フレームメモリ２３を制御する。
【０１０６】
ステップＳ５において、D/A変換部２５−１およびD/A変換部２５−２は、供給された映像信号をＤ／Ａ変換し、アナログの映像信号を、画像表示装置１２に供給する。
【０１０７】
ステップＳ６において、表示制御部２７は、図２を用いて説明した出力映像信号Ｓ２および出力映像信号Ｓ３における場合と同様のタイミングで、画像表示装置１２の走査制御部４１−１および走査制御部４１−２（図３においては、プロジェクタ５１−１およびプロジェクタ５１−２）を制御して、それぞれのフレームの走査開始時刻を、１フレームの表示のための走査にかかる時間の半分の時間だけずらして、１フレームずつの映像信号を交互に走査させることにより、走査制御部４１−１および走査制御部４１−２のそれぞれの単独のフレームレートに対して、実質的に２倍の表示フレームレートで、表示部４３（図３においては、スクリーン５２）に映像が表示されるように、画像表示装置１２を制御して、処理が終了される。
【０１０８】
このような処理により、表示される動画像が、奇数フレームと偶数フレームに分離され、２つの表示デバイスに供給される。そして、表示される動画像の半分のフレームレートで、それぞれの表示デバイスにより、１／２フレームずらして、走査されることにより、表示デバイスの能力の２倍のフレームレートで、動画像を表示させるようにすることができる。
【０１０９】
なお、２つの走査線の走査位置精度を、位置ずれが１ドット（１ピクセル）以内となるように調整することにより、１フレームずれた画像との重なりにより、画像がぼやけてしまうことなく、動画像を鮮明に表示することが可能となる。
【０１１０】
次に、図６は、図１の画像表示システム１とは異なる構成を有する、本発明を適用した画像表示システム７１の構成を示すブロック図である。
【０１１１】
なお、図１における場合と対応する部分には同一の符号を付してあり、その説明は適宜省略する。
【０１１２】
すなわち、図６の画像表示システム７１は、図１の画像表示システム１と同様の画像表示装置１２に動画像を表示させるものであるが、図１の画像信号変換装置１１とは異なる構成の画像信号変換装置８１を用いて、画像信号を変換する。
【０１１３】
画像信号変換装置８１に供給されたアナログの画像信号は、Ａ／Ｄ変換部２１および同期信号検出部２２に供給される。
【０１１４】
Ａ／Ｄ変換部２１は、フレームレートｍのアナログの画像信号を、デジタルの画像信号に変換して、データ分離部９１に供給する。同期信号検出部２２は、画像信号から、画像信号のフレームレートおよびドットクロックを検出して、垂直同期信号およびドットクロック信号を生成し、データ分離部９１、データ保持部９２−１、データ保持部９２−２、および、コントローラ９４に供給する。
【０１１５】
データ分離部９１は、供給されたデジタルの画像信号を、同期信号検出部２２から供給される垂直同期信号を基に、フレームごとに分離し、１フレームずつ交互に、データ保持部９２−１またはデータ保持部９２−２に供給する。データ分離部９１は、例えば、奇数フレームをデータ保持部９２−１に、偶数フレームをデータ保持部９２−２に、それぞれ供給する。
【０１１６】
データ保持部９２−１およびデータ保持部９２−２は、データ分離部９１と、フレームメモリ９３−１およびフレームメモリ９３−２のインターフェースであり、同期信号検出部２２から供給される垂直同期信号を基に、供給された画像信号を、フレームごとに、フレームメモリ９３−１またはフレームメモリ９３−２に、それぞれ供給する。
【０１１７】
コントローラ９４は、同期信号検出部２２から、垂直同期信号およびドットクロック信号の供給を受けて、フレームメモリ９３−１およびフレームメモリ９３−２の映像信号の出力タイミングを制御する。
【０１１８】
フレームメモリ９３−１は、コントローラ９４の制御に基づいて、映像信号を、D/A変換部２５−１に供給する。フレームメモリ９３−２は、コントローラ９４の制御に基づいて、映像信号を、D/A変換部２５−２に供給する。
【０１１９】
ここで、データ分離部９１に供給される信号を入力映像信号Ｓ１とし、フレームメモリ９３−１から出力される信号を出力映像信号Ｓ２とし、フレームメモリ９３−２から出力される信号を出力映像信号Ｓ３とした場合、これらの信号の入出力の関係は、図２を用いて説明した場合と同様になる。
【０１２０】
ただし、図２においては、データ分離部９１によるデータ分離処理などによる信号の遅延は考慮していないが、コントローラ９４は、信号の遅延や、２系統の映像信号のタイミングのずれを、例えば、データ保持部９２−１およびデータ保持部９２−２からの信号出力タイミングなどで調整するようにしてもよい。
【０１２１】
D/A変換部２５−１は、供給されたデジタルの画像信号を、アナログの画像信号に変換し、画像表示装置１２に供給する。D/A変換部２５−２は、供給されたデジタルの画像信号を、アナログの画像信号に変換し、画像表示装置１２に供給する。
【０１２２】
表示制御部２７は、コントローラ９４から供給された情報を基に、画像表示装置１２による動画像の表示を制御し、図２を用いて説明したタイミングと同様のタイミングで、出力映像信号Ｓ２および出力映像信号Ｓ３に対応するフレーム画像を表示させる。
【０１２３】
また、コントローラ９４には、必要に応じて、ドライブ２８が接続される。ドライブ２８には、磁気ディスク３１、光ディスク３２、光磁気ディスク３３、または、半導体メモリ３４が装着され、情報を授受できるようになされている。
【０１２４】
次に、図７のフローチャートを参照して、図６の画像表示システム７１が実行する、表示制御処理１について説明する。
【０１２５】
ステップＳ２１において、同期信号検出部２２は、供給されたアナログの映像信号から、同期信号およびドットクロックを検出し、垂直同期信号およびドットクロック信号を、データ分離部９１、データ保持部９２−１、データ保持部９２−２、および、コントローラ９４に供給する。
【０１２６】
ステップＳ２２において、Ａ／Ｄ変換部２１は、供給されたアナログの映像信号をＡ／Ｄ変換し、デジタルの映像信号を、データ分離部９１に供給する。
【０１２７】
ステップＳ２３において、データ分離部９１は、同期信号検出部２２から供給される垂直同期信号を基に、供給されたアナログの映像信号をフレームごとに分離し、１フレームずつ交互に、データ保持部９２−１またはデータ保持部９２−２に供給する。データ分離部９１は、例えば、奇数フレームをデータ保持部９２−１に、偶数フレームをデータ保持部９２−２にそれぞれ供給する。
【０１２８】
ステップＳ２４において、データ保持部９２−１およびデータ保持部９２−２は、供給された映像信号を、フレームメモリ９３−１またはフレームメモリ９３−２にそれぞれ供給して保存させる。
【０１２９】
ステップＳ２５において、コントローラ９４は、フレームメモリ９３−１およびフレームメモリ９３−２を制御して、入力映像信号Ｓ１のドットクロックの半分の速度の出力ドットクロックとなるフレームレートで、１フレームの表示のための走査にかかる時間の半分の時間だけずらして、１フレームの映像信号を、フレームメモリ９３−１からD/A変換部２５−１に、フレームメモリ９３−２からD/A変換部２５−２に、交互に出力させる。すなわち、データ分離部９１に供給される信号を入力映像信号Ｓ１とし、フレームメモリ９３−１から出力される信号を出力映像信号Ｓ２とし、フレームメモリ９３−２から出力される信号を出力映像信号Ｓ３とした場合、これらの信号の入出力の関係は、コントローラ９４によって、図２を用いて説明した場合と同様になるように制御される。
【０１３０】
ステップＳ２６において、D/A変換部２５−１およびD/A変換部２５−２は、供給された映像信号をＤ／Ａ変換し、アナログの映像信号を、画像表示装置１２に供給する。
【０１３１】
ステップＳ２７において、表示制御部２７は、図２を用いて説明した出力映像信号Ｓ２および出力映像信号Ｓ３における場合と同様のタイミングとなるように、画像表示装置１２の走査制御部４１−１および走査制御部４１−２（図３においては、プロジェクタ５１−１およびプロジェクタ５１−２）を制御して、１フレームの表示のための走査にかかる時間の半分の時間だけ走査開始時刻をずらして、１フレームずつの映像信号を交互に走査させるようにすることにより、走査制御部４１−１および走査制御部４１−２の、それぞれの単独のフレームレートの、実質的に２倍の表示フレームレートで、表示部４３（図３においては、スクリーン５２）に映像が表示されるように、画像表示装置１２を制御して、処理が終了される。
【０１３２】
このような処理により、図６の画像表示システム７１においても、図１の画像表示システムと同様にして、表示される動画像が、奇数フレームと偶数フレームに分離され、２つの表示デバイス、すなわち、走査制御部４１−１および走査制御部４１−２に供給される。そして、それぞれの表示デバイスから、表示される動画像の半分のフレームレートで、１／２フレームずらして、フレーム画像が走査されることにより、表示デバイスの能力の実質的に２倍のフレームレートで、動画像を表示させるようにすることができる。
【０１３３】
なお、本発明の実施の形態においては、供給された画像信号を、２系列に分離し、２つの走査制御部によって描画する場合について説明したが、画像信号の分離数は、２つ以上のいかなる数であっても良い。
【０１３４】
画像信号の分離数が、例えば、３つであった場合、フレームメモリから出力される映像信号が３つのＤ／Ａ変換部に順次供給されるか、または、データ分離部より３系列に分離されたフレームが、３つのフレームメモリに順次供給されて保存されるようになされる。そして、図８に示されるように、入力映像信号Ｓ１が、３つの出力映像信号Ｓ２，Ｓ３，およびＳ４に分離され、３つ設けられている走査制御部に供給される。
【０１３５】
第１の走査制御部によって、出力映像信号Ｓ２に対応するαフレーム、α＋３フレーム、α＋６フレーム・・・の表示が制御され、第２の走査制御部によって、出力映像信号Ｓ３に対応するα＋１フレーム、α＋４フレーム、α＋７フレーム・・・の表示が制御され、第３の走査制御部によって、出力映像信号Ｓ４に対応するα＋２フレーム、α＋５フレーム、α＋８フレーム・・・の表示が制御される。また、第１の走査制御部、第２の走査制御部、および第３の走査制御部により表示されるそれぞれの出力映像信号のフレームのフレームレートは、入力映像信号のフレームレートの１／３であり、第１の走査制御部、第２の走査制御部、および第３の走査制御部によるそれぞれのフレームの走査開始時刻は、出力映像信号Ｓ２乃至出力映像信号Ｓ４の１フレームの表示のための走査にかかる時間の１／３ずつずれる。
【０１３６】
例えば、入力映像信号Ｓ１が１８０Ｈｚである場合、３つの出力映像信号Ｓ２，Ｓ３，およびＳ４に分離され、３つ設けられている走査制御部に供給され、それぞれの走査制御部において、６０Ｈｚのフレームレートの出力映像信号として走査表示される。また、例えば、入力映像信号Ｓ１が１５０Ｈｚである場合、３つの出力映像信号Ｓ２，Ｓ３，およびＳ４に分離され、３つ設けられている走査制御部に供給され、それぞれの走査制御部において、５０Ｈｚのフレームレートの出力映像信号として走査表示される。このようにして、現状最も広く用いられている５０Ｈｚ（ＰＡＬ：Phase Alternating Line）や６０Ｈｚ（ＮＴＳＣ：National Television System CommitteeやＨＤ（High Definitions）映像信号）の画像を表示可能な走査制御部を用いて、より高フレームレートの動画像を表示させるようにすることが可能となる。
【０１３７】
このように、映像信号の分離数が、例えば、ｎであった場合、走査制御部がｎ個設けられ、第１の走査制御部乃至第ｎの走査制御部により表示されるそれぞれの出力映像信号のフレームのフレームレートは、入力映像信号のフレームレートの１／ｎであり、第１の走査制御部乃至第ｎの走査制御部によるそれぞれのフレームの描画開始時刻は、それぞれの出力映像信号の１フレームの表示時間の１／ｎずつずれるようになされることにより、それぞれの走査制御部が単独で動画像を表示する場合と比較して、実質的に、ｎ倍のフレームレートで、動画像を表示するようにすることができる。
【０１３８】
また、走査制御部の個数をｓとし、映像信号の分離数を、ｓより小さなｎとして設定し、ｓ個の走査制御部のうち、ｎ個の走査制御部を用いて、動画像を表示するようにしても良い。
【０１３９】
なお、図１および図６においては、画像信号変換装置と画像表示装置によって、画像表示システムを構成するものとして説明したが、それぞれの構成要素を、１つの装置として実現するようにしても良いことは、言うまでもない。
【０１４０】
また、図１の画像信号変換装置１１においては、フレームメモリ２３をコントローラ２４が制御し、画像表示装置１２を表示制御部２７が制御するものとして説明し、図６の画像信号変換装置８１においては、フレームメモリ９３−１およびフレームメモリ９３−２をコントローラ９４が制御し、画像表示装置１２を表示制御部２７が制御するものとして説明したが、映像信号を保存するフレームメモリと、画像を表示する画像表示装置とを、同一のコントローラにより制御するようにしても良い。また、表示制御部２７は、画像信号変換装置１１、または、画像信号変換装置８１ではなく、画像表示装置１２の内部に備えるようにしても良い。
【０１４１】
ところで、動画には、静止画では発生しない動画特有の画質劣化が存在する。現状最も広く用いられている５０Ｈｚ（ＰＡＬ）や６０Ｈｚ（ＮＴＳＣやＨＤ映像信号）のディスプレイでは、時間方向の再現が不完全であり、特定の条件下においてこの時間方向での不完全性が空間方向での不完全性に変換されるために、例えば、動画像データ取得時のシャッタ時間、動画像データ表示時の表示素子発光時間、および、人の視線条件によって、動画質の劣化が発生してしまう。
【０１４２】
図９に、動くものと固定しているものが共存するような現実のシーンの例を示す。このシーンは車が右方向に移動し、樹木は地面に固定されていることを想定している。図９のシーンを観察した場合の観察者の見えを図１０および図１１に示す。
【０１４３】
図１０は観察者が樹木を注視していた場合の観察者からの映像の見えを示す図である。この場合、右方向に移動する車は、観察者からはぼけて見える。一方、図１１は車に注視していた場合の観察者からの映像の見えを示す図である。この場合、固定している樹木は、観察者からはぼけて見える。
【０１４４】
以下、観察面座標上での固定物に視線を固定している場合を固定視条件、観察面座標上での移動物に視線を追従している場合を追従視条件とする。すなわち、図１０を用いて説明した場合が固定視条件、図１１用いて説明した場合が追従視条件となる。固定視条件、追従視条件とも、注視しているものはクリアに見える。一方、注視している物体と相対位置が変化する物体はぼけて見える。
【０１４５】
この原因は、人が網膜に入射された光をある時間内であるならば積分する作用を視覚特性として持つためである。眼の網膜座標上で移動する物体は、その位置変化が時間方向に積分されるため、結果的にぼけた映像として知覚される。このぼけは、網膜座標上での移動速度に比例して大きくなる。網膜座標上の移動速度とは、実際の物体の速度ではなく、角速度(deg/sec)に相当する。
【０１４６】
以上のように、網膜座標上で静止している物体はクリアに見え、網膜座標上で移動する物体はぼけて見える。この実際の見えと一致する映像を再現することが、リアリティのある動画像、すなわち、滑らかに動いているように見える画質のよい動画像を表示するためには重要である。
【０１４７】
図１２を用いて、図１０および図１１を用いて説明した観察者の見えの違いについて説明する。図１２上部は外界での実際の動きを示している。縦軸は時間軸、横軸は水平方向であり、外界上にて固定ドット（図９乃至図１１における樹木に対応し、図中ｘで示す）と一定速度で移動するドット（図９乃至図１１における車に対応し、図中ｙで示す）が存在するシーンでの各ドットの時間毎の位置を示す。図１２下部は、この外界の動きを観察したときの固定視および追従視での見えを示している。点線で示された矢印が、観察者の視点の動き、つまり網膜上での映像の積分方向を示す。垂直方向の軸が固定視、斜め方向の軸が追従視での積分方向である。すなわち、観察者が追従視をしている場合、固定ドット（樹木）はぼけて見えるが、移動するドット（車）はクリアに見える。一方、観察者が固定視をしている場合、固定ドット（樹木）はクリアに見えるが、移動するドット（車）はボケて見える。
【０１４８】
次に、図１３を用いて、図９で示した外界の動きを固定撮影し、動画像として再生表示した場合の観察者の見えについて、撮影条件、表示条件、観察条件ごとに説明する。図１３上部は、動画像表示の時間変化を示す。図１３下部に、固定視、追従視での視線の動き方向、つまり積分軸方向に沿って動画像表示された光を積分した結果を観察者の見えとして示す。
【０１４９】
図１３Ａは、撮影条件がオープンシャッタ方式で、表示がパルスタイプである場合、図１３Ｂは、撮影条件がオープンシャッタ方式で、表示がホールドタイプである場合、図１３Ｃは、撮影条件が高速シャッタ方式で、表示がパルスタイプである場合、図１３Ｄは、撮影条件が高速シャッタ方式で、表示がホールドタイプである場合の、観察者の見えを示す。
【０１５０】
図１３Ａ乃至図１３Ｄより、発生する動画質劣化は各条件によって異なることがわかる。例えば、図１３Ａおよび図１３Ｃの追従視での移動物の見えと比較して、図１３Ｂおよび図１３Ｄの追従視での移動物がぼけて見えてしまうのは、発光条件がホールド型であるディスプレイ特有の「動きぼけ」と呼ばれる現象である。「動きぼけ」は、注視しているものがぼけてしまうため、観察者にとって、わかりやすい劣化である。
【０１５１】
それ以外にも、図１３Ｄの固定視でのストロボ妨害、図１３Ａおよび図１３Ｃの追従視でのストロボ妨害などの劣化が生じている。ストロボ障害とは、図１４に示されるように、ディスプレイ上の固定物（例えば、樹木）に固定視を行った場合に、移動物（例えば、車）が、多重像に見える、または、スムーズではない離散的な動きが見えるといった動画質劣化のことである。このように、固定視での移動物、追従視での固定物に発生するストロボ妨害は、注視している対象ではない部分で発生する劣化である場合が多く、「動きぼけ」と比較してあまり目立たないことも多い。だが、視線の追従が完全に行われていない場合は、注視を行いたい対象物と視線の関係は、固定視での移動物、または追従視での固定物と同じ関係になる。この場合のストロボ妨害は注視している対象物において発生するため、非常に目立つ劣化となる。この現象は、動きが速く、次の動きが予測しにくい映像ソース、例えば、スポーツ中継、アクション映画等において目立ってしまう。映画などにおける動画像の撮像では、このような動画質劣化を防止するために、例えば、移動物を撮影する場合はカメラで追従して撮影し、表示画面上では固定物状態にすることや、ストロボ妨害を抑制するためにmotion blurと呼ばれるぼけを加味するといった手法を用いる。しかしながら、これらの手法による制限は、表現手段を狭めている結果にもなっている。また、スポーツなどでは、注目したい被写体の動きの予想ができないため、これらの手段は使えない。
【０１５２】
このような動画質劣化は移動物の角速度に応じて増加する。したがって、同じ映像シーンであっても、より視野角の大きいディスプレイに動画像が表示された場合において動画質が顕著に劣化する。また、高解像度化を行っても本章で述べた動画質劣化はほとんど改善されない。むしろ、高解像度化により静止画質がより向上してしまうために、動画質劣化が目立ってしまう。今後、ディスプレイが大画面化、高精細化されるのにともなって、これらの動画質劣化が大きな問題となることが予想される。
【０１５３】
動画質劣化の原因は時間再現性の欠如である。したがって、時間再現性を向上することが根本的な解決となる。すなわち、その解決手段としては、撮影、表示ともフレームレートを高くすることが有効な手段となる。
【０１５４】
図１３を用いて説明した場合の動画像データを、２倍のフレームレートで撮影し、２倍のフレームレートで表示を行った場合の動画質劣化の改善を図１５に示す。
【０１５５】
図１５Ａは、撮影条件がオープンシャッタ方式で、表示がパルスタイプである場合、図１５Ｂは、撮影条件がオープンシャッタ方式で、表示がホールドタイプである場合、図１５Ｃは、撮影条件が高速シャッタ方式で、表示がパルスタイプである場合、図１５Ｄは、撮影条件が高速シャッタ方式で、表示がホールドタイプである場合、それぞれ、図１３を用いて説明した場合の２倍のフレームレートで表示された動画像に対する、観察者の見えを示す。
【０１５６】
図１５Ａ乃至図１５Ｄに示されるように、表示画像の見えのぼけ妨害に関して、それぞれの撮像および表示方法において、ぼけ量は半分となっている。また、ストロボ妨害に関しても、ストロボ的な離散数が倍増するため、画像劣化が改善される。すなわち、ぼけ妨害およびストロボ妨害は、フレームレートの増加に対し、リニアに改善されることが示される。また、フレームレートを増加した場合、シャッタ時間、発光時間による動画質劣化の質の違いも小さくなっている。すなわち、動画質を改善するためには、高フレームレート化が、非常に有効な手段であるといえる。
【０１５７】
次に、オープンシャッタで撮影された動画像の表示について、追従視の条件において、ジャーキネス、動きぼけに着目した動画質の評価を、視覚心理物理実験により調査した。
【０１５８】
ジャーキネスに着目した評価結果を図１６に、動きぼけに着目した評価結果を図１７に示す。この評価においては、動画像として、例えば、自然動画、ＣＧの動き、オープンシャッタで撮影された映像など、さまざまなものが用意された。また、評価ポイントは、劣化尺度については、「劣化がわからない」が評価５、「劣化は分かるが気にならない」が評価４、「劣化は分かるが邪魔にならない」が評価３、「劣化が邪魔になる」が評価２、「劣化が非常に邪魔になる」が評価１とされ、評価尺度については、「非常によい」が評価５、「よい」が評価４、「普通」が評価３、「悪い」が評価２、「非常に悪い」が評価１とされた。この実験においては、一般的な動画質の評価について調査するために充分な人数の被験者により評価が実行されている。そして、図１６および図１７においては、全てのシーンおよび被験者の平均と、標準偏差がプロットされている。
【０１５９】
図１６に示されるジャーキネスに比較して、図１７に示される動きぼけの評価値の変化が大きく、また両者に共通して、フレームレートが大きくなるにともなって、動画質の評価値も大きくなる傾向が見られる。特に動きぼけに関して、２５０fps近辺で、知覚限である評価値４．５近辺に達し、更に高いフレームレートでは、評価値は４．５以上で平らな値を示す屈曲型の傾向を示した。また、ジャーキネスに関しても、２５０fps近辺で、知覚限である評価値４．５近辺に達し、更に高いフレームレートでは、評価値は４．５以上で、略平らな値を示す屈曲型の傾向を示した。
【０１６０】
このように、特に顕著な動画質劣化を示す追従視における動きぼけは、２５０fps近辺のフレームレートにより十分解決されること、すなわち、２５０fps近辺が、現在広く用いられている映像リソースの有効性を考慮した場合の理想周波数であることを示唆するものである。具体的には、現在広く用いられている映像リソースは、上述したように５０Ｈｚ，６０Ｈｚのものが多いので、その整数倍の周波数である２４０Ｈｚや２５０Ｈｚが、映像リソースの有効性を考慮した場合の理想周波数であることを示唆するものである。
【０１６１】
図１または図６を用いて説明した、本発明を適用した画像表示システムを用いて、５０Ｈｚ，６０Ｈｚの整数倍の周波数である２４０Ｈｚや２５０Ｈｚの動画像を表示させるようにすることが可能である。例えば、図１８に示されるように、２以上のプロジェクタ５１―１乃至５１−ｎを用いて、本発明を適用した画像表示システムを用いて、５０Ｈｚ，６０Ｈｚの整数倍の周波数である２４０Ｈｚや２５０Ｈｚの動画像の表示を実現することができる。
【０１６２】
プロジェクタ５１−１乃至プロジェクタ５１−ｎは、それぞれ、表示制御部２７の制御に基づいたタイミングで、表示される表示画像を構成する画素（Ｘ，Ｙ）＝（０，０）から、画素（Ｘ，Ｙ）＝（ｐ，ｑ）を、スクリーン５２に水平方向に走査することにより、供給された映像信号に対応するフレーム画像を表示する。プロジェクタ５１−１乃至プロジェクタ５１−ｎのそれぞれがスクリーン５２に表示させるフレーム画像のそれぞれのフレームレートは、画像表示システムに供給される動画像のフレームレートをｍＨｚとしたとき、ｍ／ｎＨｚであるが、プロジェクタ５１−１乃至プロジェクタ５１−ｎによって表示される動画像のフレームレートはｍＨｚである。また、プロジェクタ５１−１乃至プロジェクタ９１−ｎによって表示される各フレームの走査開始タイミングは、プロジェクタ５１−１乃至プロジェクタ５１−ｎによる、それぞれの１フレームの表示に対して、１／ｎ位相、すなわち、１／ｍ秒だけずれている。
【０１６３】
例えば、プロジェクタ９１−２が、スクリーン９２上の走査Ｂで示されるラインに、α＋１フレームの対応するラインを走査しているとき、プロジェクタ９１−３は、スクリーン９２上の走査Ａで示されるラインに、α＋２フレームの対応するラインを走査している。走査Ｂで示されるラインは、走査Ａで示されるラインから、１フレームのライン数の１／ｎだけずれたラインである。すなわち、スクリーン９２に表示される動画像は、時間１／ｍごとに、走査Ａおよび走査Ｂを含む複数の走査によって、順次書き換えられる。
【０１６４】
入力画像信号のフレームレートが、２４０Ｈｚであり、画像信号の分離数が、例えば、４つであった場合、フレームメモリから出力される映像信号が４つのＤ／Ａ変換部に順次供給されるか、または、データ分離部より４系列に分離されたフレームが、４つのフレームメモリに順次供給されて保存されるようになされる。そして、図１９に示されるように、入力映像信号Ｓ１が、４つの出力映像信号Ｓ２，Ｓ３，Ｓ４，およびＳ５に分離され、４つ設けられている走査制御部に供給される。
【０１６５】
第１の走査制御部によって、出力映像信号Ｓ２に対応するαフレーム、α＋４フレーム・・・の表示が制御され、第２の走査制御部によって、出力映像信号Ｓ３に対応するα＋１フレーム、α＋５フレーム・・・の表示が制御され、第３の走査制御部によって、出力映像信号Ｓ４に対応するα＋２フレーム、α＋６フレーム・・・の表示が制御され、第４の走査制御部によって、出力映像信号Ｓ５に対応するα＋３フレーム、α＋７フレーム・・・の表示が制御される。また、第１の走査制御部乃至第４の走査制御部により表示されるそれぞれの出力映像信号のフレームのフレームレートは、入力映像信号のフレームレートの１／４であり、第１の走査制御部乃至第４の走査制御部によるそれぞれのフレームの走査開始時刻は、出力映像信号Ｓ２乃至出力映像信号Ｓ５の１フレームの表示のための走査にかかる時間の１／４ずつずれる。
【０１６６】
入力画像信号のフレームレートが、２５０Ｈｚであり、画像信号の分離数が、例えば、５つであった場合、フレームメモリから出力される映像信号が５つのＤ／Ａ変換部に順次供給されるか、または、データ分離部より５系列に分離されたフレームが、５つのフレームメモリに順次供給されて保存されるようになされる。そして、図２０に示されるように、入力映像信号Ｓ１が、５つの出力映像信号Ｓ２，Ｓ３，Ｓ４，Ｓ５、およびＳ６に分離され、５つ設けられている走査制御部に供給される。
【０１６７】
第１の走査制御部によって、出力映像信号Ｓ２に対応するαフレーム、α＋５フレーム・・・の表示が制御され、第２の走査制御部によって、出力映像信号Ｓ３に対応するα＋１フレーム、α＋６フレーム・・・の表示が制御され、第３の走査制御部によって、出力映像信号Ｓ４に対応するα＋２フレーム、α＋７フレーム・・・の表示が制御され、第４の走査制御部によって、出力映像信号Ｓ５に対応するα＋３フレーム、α＋８フレーム・・・の表示が制御され、第５の走査制御部によって、出力映像信号Ｓ６に対応するα＋４フレーム、α＋９フレーム・・・の表示が制御される。また、第１の走査制御部乃至第５の走査制御部により表示されるそれぞれの出力映像信号のフレームのフレームレートは、入力映像信号のフレームレートの１／５であり、第１の走査制御部乃至第４の走査制御部によるそれぞれのフレームの走査開始時刻は、出力映像信号Ｓ２乃至出力映像信号Ｓ６の１フレームの表示のための走査にかかる時間の１／５ずつずれる。
【０１６８】
現状最も広く用いられているフレームレート５０Ｈｚや６０Ｈｚでの動画表示においては、ボケやジャーキネスといった動画質劣化が顕著であった。これに対して、本発明を適用し、映像信号の分離数ｎとして、例えば、４や５を用いた場合、高フレームレートの動画像を、フレームレート５０Ｈｚまたは６０Ｈｚの、従来広く用いられている表示装置（たとえば、プロジェクタなど）を用いて表示することが可能となる。例えば、映像信号の分離数ｎ＝４であり、プロジェクタ５１−１乃至プロジェクタ５１−４において出力される表示画像のフレームレートが、それぞれ、６０Ｈｚであった場合、スクリーン５２に表示される動画像のフレームレートは、実質的に、２４０Ｈｚとなる。更に、例えば、映像信号の分離数ｎ＝５であり、プロジェクタ５１−１乃至プロジェクタ５１−５において出力される表示画像のフレームレートが、それぞれ、５０Ｈｚであった場合、スクリーン５２に表示される動画像のフレームレートは、実質的に、２５０Ｈｚとなる。
【０１６９】
現在広く用いられている映像リソースは、上述したように５０Ｈｚ，６０Ｈｚのものが多いので、その整数倍の周波数である２４０Ｈｚや２５０Ｈｚが、映像リソースの有効性を考慮した場合の理想周波数である。
【０１７０】
このような場合においても、走査制御部の個数をｓとし、映像信号の分離数を、ｓより小さなｎとして設定し、ｓ個の走査制御部のうち、ｎ個の走査制御部を用いて、動画像を表示するようにしても良いことは言うまでもない。
【０１７１】
上述した一連の処理は、ソフトウェアにより実行することもできる。そのソフトウェアは、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１７２】
この記録媒体は、図１または図６に示すように、コンピュータとは別に、ユーザにプログラムを提供するために配布される、プログラムが記録されている磁気ディスク３１（フレキシブルディスクを含む）、光ディスク３２（CD-ROM（Compact Disk-Read Only Memory），DVD（Digital Versatile Disk）を含む）、光磁気ディスク３３（ＭＤ（Mini-Disk)（商標）を含む）、もしくは半導体メモリ３４などよりなるパッケージメディアなどにより構成される。
【０１７３】
また、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【０１７４】
なお、本明細書において、システムとは、複数の装置により構成される装置全体を表すものである。
【図面の簡単な説明】
【０１７５】
【図１】本発明を適用した、画像表示システムの第１の構成例を説明するためのブロック図である。
【図２】入力映像信号と、出力映像信号のタイミングについて説明するための図である。
【図３】図１の画像表示装置の構成例について説明するための図である。
【図４】図３の画像表示装置に表示される動画像のエッジ部分の更新レートについて説明するための図である。
【図５】図１の画像表示システムが実行する表示制御処理１を説明するフローチャートである。
【図６】本発明を適用した、画像表示システムの第２の構成例を説明するためのブロック図である。
【図７】図６の画像表示システムが実行する表示制御処理２を説明するフローチャートである。
【図８】入力映像信号と、出力映像信号のタイミングについて説明するための図である。
【図９】動くものと固定しているものが共存するような現実のシーンの例を示す図である。
【図１０】固定視条件を説明するための図である。
【図１１】追従視条件を説明するための図である。
【図１２】追従視および固定視における観察者の見えについて説明するための図である。
【図１３】撮影条件、表示条件、観察条件ごとの観察者の見えについて説明するための図である。
【図１４】ストロボ障害ついて説明するための図である。
【図１５】高フレームレートにおける撮影条件、表示条件、観察条件ごとの観察者の見えについて説明するための図である。
【図１６】ジャーキネスに着目した動画質の評価結果について説明するための図である。
【図１７】動きぼけに着目した動画質の評価結果について説明するための図である。
【図１８】ｎが２以外の数の場合のプロジェクタとスクリーンの構成例について説明するための図である。
【図１９】ｍ＝２４０、ｎ＝４の場合における、入力映像信号と、出力映像信号のタイミングについて説明するための図である。
【図２０】ｍ＝２５０、ｎ＝５の場合における、入力映像信号と、出力映像信号のタイミングについて説明するための図である。
【符号の説明】
【０１７６】
１  画像表示システム，  １１  画像信号変換装置，  １２  画像表示装置，  ２１  Ａ／Ｄ変換部，  ２２  同期信号検出部，  ２３  フレームメモリ，  ２４  コントローラ，  ２５  Ｄ／Ａ変換部，  ２７  表示制御部，  ４１  走査制御部，  ４３  表示部，  ７１  画像表示システム，  ８１  画像信号変換装置，  ９１  データ分離部，  ９２  データ保持部，  ９４  コントローラ，  ９３  フレームメモリ
【図１】
2004266808.tif 000003
【図２】
2004266808.tif 000004
【図３】
2004266808.tif 000005
【図４】
2004266808.tif 000006
【図５】
2004266808.tif 000007
【図６】
2004266808.tif 000008
【図７】
2004266808.tif 000009
【図８】
2004266808.tif 000010
【図９】
2004266808.tif 000011
【図１０】
2004266808.tif 000012
【図１１】
2004266808.tif 000013
【図１２】
2004266808.tif 000014
【図１３】
2004266808.tif 000015
【図１４】
2004266808.tif 000016
【図１５】
2004266808.tif 000017
【図１６】
2004266808.tif 000018
【図１７】
2004266808.tif 000019
【図１８】
2004266808.tif 000020
【図１９】
2004266808.tif 000021
【図２０】
2004266808.tif 000022